(57)【特許請求の範囲】
【請求項１】
家屋監視を容易にする管理サービスまたは監視サービスに関連する家屋で動作するｈｏｍｅ  ｎｏｄｅＢ（ＨＮＢ）デバイスにインターフェースする通信コンポーネントであって、前記ＨＮＢデバイスは、前記管理サービスまたは前記監視サービスのサービス・エリアに関して前記ＨＮＢデバイスに割り当てられたサービス・エリア識別子に基づいて、フェムトセル・ネットワークによって伝搬される通信のために、前記ＨＮＢデバイスをターゲットにするフェムトセル・ネットワーク・プラットフォームと結合している、通信コンポーネントと、
少なくとも１つのセンサから状態情報を受信するセンサ管理コンポーネントであって、前記状態情報は、前記管理サービスまたは前記監視サービスに従って前記少なくとも１つのセンサによって検出される前記家屋の状態に関係する、センサ管理コンポーネントと、
を含む、家屋管理または家屋監視を容易にするためにフェムトセル・ネットワーク・インフラストラクチャを活用するシステム。
【請求項２】
前記通信コンポーネントは、前記ＨＮＢデバイスに含まれ、あるいは、前記通信コンポーネントは、前記ＨＮＢデバイスから離れており、前記ＨＮＢデバイスに通信的に結合されている、請求項１に記載のシステム。
【請求項３】
前記少なくとも１つのセンサは、前記状態情報を前記センサ管理コンポーネントに無線で送信する、請求項１に記載のシステム。
【請求項４】
前記状態情報は、前記家屋に関連するリソースの使用量を追跡する需給計器から前記少なくとも１つのセンサによって入手される読み値に関係する、請求項１に記載のシステム。
【請求項５】
前記リソースは、天然ガス、プロパン、電気、水、廃棄物、または前記廃棄物の処理のうちの少なくとも１つである、請求項４に記載のシステム。
【請求項６】
前記少なくとも１つのセンサは、前記需給計器に動作可能にまたは通信的に結合される、請求項４に記載のシステム。
【請求項７】
前記少なくとも１つのセンサは、前記需給計器の少なくとも一部のイメージに基づいて前記需給計器から状態情報を入手するイメージング・デバイスである、請求項４に記載のシステム。
【請求項８】
前記状態情報は、前記家屋のアラーム・システムの状態と、前記家屋でのリソース消費の状態またはアクティビティ・レベルと、前記家屋の環境条件に関連する状態とのうちの少なくとも１つに関係する、請求項１に記載のシステム。
【請求項９】
前記センサ管理コンポーネントは、所定のインターバルで前記少なくとも１つのセンサに前記状態情報を自動的に要求し、または前記所定のインターバルで前記状態情報を自動的に送信するように前記少なくとも１つのセンサに命令する、請求項１に記載のシステム。
【請求項１０】
前記通信コンポーネントは、前記状態情報に関するリアルタイム要求を受信し、前記センサ管理コンポーネントは、前記状態情報を即座に送信するように前記少なくとも１つのセンサに命令する、請求項１に記載のシステム。
【請求項１１】
前記通信コンポーネントは、フェムトセル・ネットワーク・プロバイダに関連する前記管理サービスまたは前記監視サービスのマスタ管理コンポーネントへの前記ＨＮＢデバイスによる前記状態情報の伝搬を容易にする、請求項１に記載のシステム。
【請求項１２】
前記通信コンポーネントによる伝搬の前に前記状態情報を変換する変換コンポーネントをさらに含み、前記変換コンポーネントは、前記少なくとも１つのセンサによって送信される生の状態情報を受信し、光学文字認識（ＯＣＲ）、物体認識、または所望の出力に従うフォーマッティングもしくは処理のうちの少なくとも１つに基づいて前記生の状態情報を処理された状態情報に変換する、請求項１１に記載のシステム。
【請求項１３】
ｈｏｍｅ  ｎｏｄｅＢ（ＨＮＢ）デバイスのセットにインターフェースするように構成されたインターフェース・コンポーネントであって、前記インターフェース・コンポーネントは、前記セットに含まれる特定のＨＮＢデバイスから状態情報を受信し、前記状態情報は、家屋の少なくとも１つのセンサによって入手され、前記特定のＨＮＢデバイスの位置に関連する前記家屋の状態に関係する、インターフェース・コンポーネントと、
データ・ストアの前記特定のＨＮＢデバイスまたはそのユーザに関連するアカウント・レコードに前記状態情報を格納し、家屋管理サービスまたは家屋監視サービスを提供するために前記状態情報を使用する、マスタ管理コンポーネントであって、ＨＮＢデバイスの前記セットにサービスを提供し、かつ前記家屋管理サービスまたは前記家屋監視サービスのサービス・エリアに関するサービス・エリア識別子に基づいて、通信のために前記特定のＨＮＢデバイスをターゲットにするフェムトセル・ネットワークによって、前記家屋管理サービスまたは前記家屋監視サービスの管理デバイスが前記特定のＨＮＢデバイスと通信する、マスタ管理コンポーネントと、
を含む、家屋管理サービスまたは家屋監視サービスを容易にするためにフェムトセル・ネットワークを使用するシステム。
【請求項１４】
サード・パーティに関連する少なくとも１つのサード・パーティ・ネットワークにインターフェースするサービス・コンポーネントをさらに含み、前記少なくとも１つのサード・パーティ・ネットワークは、ユーティリティ・プロバイダ、セキュリティ・プロバイダ、または緊急サービス・プロバイダのうちの少なくとも１つに関係する、請求項１３に記載のシステム。
【請求項１５】
前記サービス・コンポーネントは、前記データ・ストアに格納されたデータにアクセスするためまたは前記少なくとも１つのセンサからのリアルタイム読み値を要求するために、前記少なくとも１つのサード・パーティにセキュア・ログインを提供し、前記マスタ管理コンポーネントは、前記特定のＨＮＢまたはウェブベースのログインを介して、前記アカウント・レコードへのアクセス、１もしくは複数の事前定義のしきい値の設定、前記家屋の現在の状態の判定、または前記家屋の現在の状態の更新を可能にする、請求項１４に記載のシステム。
【請求項１６】
前記マスタ管理コンポーネントは、（１）前記状態情報と前記特定のＨＮＢデバイスに関連する前記１つまたは複数の事前定義のしきい値との間の比較を作り、または（２）前記比較に基づいて、前記サード・パーティ、前記特定のＨＮＢデバイスまたはその前記ユーザ、のうちの少なくとも１つへの通知の送信を容易にする、請求項１５に記載のシステム。
【請求項１７】
前記通知は、しきい値設定、送り状、レシート、または追加情報のうちの少なくとも１つを参照するショート・メッセージ・サービス（ＳＭＳ）メッセージに埋め込まれたユニフォーム・リソース・ロケータ（ＵＲＬ）を有するＳＭＳメッセージである、請求項１６に記載のシステム。
【請求項１８】
プロセッサを含むシステムが、管理サービスまたは監視サービスに関連する家庭／オフィスで動作するｈｏｍｅ  ｎｏｄｅＢ（ＨＮＢ）モジュールにインターフェースするステップであって、前記ＨＮＢモジュールは、前記管理サービスまたは前記監視サービスのサービス・エリアに関して前記ＨＮＢモジュールに割り当てられたサービス・エリア識別子に基づいて、フェムトセル・ネットワークによって伝搬される通信のために、前記ＨＮＢモジュールをターゲットにするフェムトセル・ネットワーク・プラットフォームと結合している、ステップと、
前記システムが、前記家庭／オフィスに関連する特性を識別する、前記家庭／オフィスにあるかこれに近接する少なくとも１つのセンサにインターフェースするステップと、
前記システムが、前記少なくとも１つのセンサから状態情報を受信するステップであって、前記状態情報は、前記少なくとも１つのセンサによって識別された家屋の状態を記述する、ステップと、
を含む、家庭／オフィス管理または家庭／オフィス監視を容易にするためにフェムトセル・ネットワーク・インフラストラクチャを活用する方法。
【請求項１９】
前記システムが、前記少なくとも１つのセンサを需給計器にインターフェースするステップ、
前記システムが、前記需給計器の構成に基づいてまたは前記需給計器のすべてまたは一部の光学イメージに基づいて前記少なくとも１つのセンサから前記状態情報を受信するステップ、
前記システムが、アラーム・システム、測定されないリソース消費デバイス、または環境条件モニタもしくは環境条件デバイスの構成に基づいて前記少なくとも１つのセンサからの前記状態情報を受信するステップ、
前記システムが、無線の形で前記少なくとも１つのセンサから前記状態情報を受信するステップ、
前記システムが、事前定義のインターバルで前記少なくとも１つのセンサに前記状態情報を自動的に要求するステップ、
前記システムが、事前定義のインターバルで前記状態情報を自動的に送信するように前記少なくとも１つのセンサに命令するステップ、または
前記システムが、フェムトセル・ネットワーク・プロバイダに関連する中央サーバに前記ＨＮＢモジュールによってアップストリームに前記情報を送信するステップ
のうちの少なくとも１つをさらに含む、請求項１８に記載の方法。
【請求項２０】
前記システムが、前記フェムトセル・ネットワークに通信的に結合されたサード・パーティ・ネットワークから前記状態情報に関するリアルタイム要求を受信するステップ、
前記システムが、前記リアルタイム要求に応答して前記サード・パーティ・ネットワークに前記状態情報を提供するステップ、
前記システムが、前記ＨＮＢモジュールに関連するアカウントに対して参照される前記フェムトセル・ネットワーク内に含まれるデータ・ストアに前記状態情報を格納するステップ、
前記システムが、前記状態情報が事前定義の状態と一致する時に前記サード・パーティ・ネットワークに通知を送信するステップ、
前記システムが、前記サード・パーティ・ネットワークが関連するアカウント・データまたは前記家庭／オフィスの関連するセンサにセキュアにアクセスするためのインターフェースを提供するステップ、または
前記システムが、アカウント情報もしくは設定にセキュアにアクセスし、または前記アカウントを管理するためのインターフェースを提供するステップ
のうちの少なくとも１つをさらに含む、請求項１８に記載の方法。
【発明の詳細な説明】
【技術分野】
【０００１】
関連出願の相互参照
本願は、２００９年１０月１３日に出願した米国特許出願第１２／５７７，８５６号、名称「ＬＥＶＥＲＡＧＩＮＧ  Ａ  ＦＥＭＴＯＣＥＬＬ  ＮＥＴＷＯＲＫ  ＦＯＲ  ＰＲＥＭＩＳＥＳ  ＭＡＮＡＧＥＭＥＮＴ  ＯＲ  ＭＯＮＩＴＯＲＩＮＧ」に関連する。この特許出願の全体が、参照によって本明細書に組み込まれている。
【０００２】
本願は、全体的にはフェムトセル通信ネットワークに関し、より具体的には、家屋管理および／または家屋監視を容易にするためのフェムトセル・ネットワーク・インフラストラクチャの利用に関する。
【背景技術】
【０００３】
屋内カバレージは、無線サービス・プロバイダの間の主な差別化要因であるが、屋内環境は、経路損失または減衰などのさまざまな要因のゆえに無線リソースの効率的利用の助けにはならず、これらの要因は、チャネル品質劣化およびその結果として続く過度なシグナリングにつながる可能性があり、この過度なシグナリングは、屋内環境内で動作するモバイル・デバイスの電池消耗を実質的に増やす可能性がある。さらに、無線サービスが、ユビキタスになり、したがって日用品化されるにつれて、レガシ遠隔通信システムおよびこれに関連するサービスの市場占有率は、顧客自然減によってますます影響を受ける。したがって、フェムトセルが、屋内カバレージを提供するためにレガシ・システムおよび現存するブロードバンド非モバイル・ネットワークを活用するために現れた。
【０００４】
フェムトセル・カバレージは、一般に、加入者が加入者の家庭カバレージ・エリア、私有屋内環境、またはフェムトセルが存在する他の家屋に入り、これから出る時にサービス連続性を保証するために、現存するマクロ・セル・カバレージとオーバーラップすることが意図されている。したがって、フェムトセル・ネットワークは、従来のマクロ・ネットワークによって提供されるより広いカバレージをさらに活用することができる。モバイル・デバイス（たとえば、ユーザ機器（ＵＥ））にサービスを提供する従来のマクロ・ネットワーク・プラットフォームは、通信サービスを提供する時にＵＥのモビリティと競争しなければならない。伝統的に、特定のＵＥ宛のメッセージは、広い区域にブロードキャストされなければならず、これによって、マクロ・ネットワークの周囲のノードのすべてが、ＵＥが所与の時にどこに配置されていようとも所期の受取人がその通信を受信することを保証するために、重複した情報をブロードキャストする。リソース利用に関して、そのようなフラッド・ブロードキャスティング（ｆｌｏｏｄ  ｂｒｏａｄｃａｓｔｉｎｇ）は、非常に非効率的であるが、しばしば、受取人ＵＥが広い区域にわたる高い度合のモビリティを維持することを潜在的に期待する時の結果である。
【０００５】
マクロ・ネットワークとは対照的に、フェムトセル・ネットワーク・プラットフォームは、さまざまなノードまたはフェムトセル（たとえば、ｈｏｍｅ  ｎｏｄｅＢ（ＨＮＢ））に頼る。ＨＮＢは、有線ブロードバンド・ネットワークにインターフェースされる建物ベースの無線アクセス・ポイントである。前に注記したように、ＨＮＢは、一般に、屋内無線カバレージを改善し、無線ネットワークおよびサービス・プロバイダによって運営されるモビリティ無線アクセス・ネットワーク（ＲＡＮ）をオフロードするために展開される。したがって、ＨＮＢデバイスのカバレージは、一般に、住居または商業ビルディングなどの屋内複合物の境界内にほぼ閉じ込められる。
【発明の概要】
【発明が解決しようとする課題】
【０００６】
残念ながら、現在の通信システム（広い面積にわたるカバレージのためのマクロ・ネットワーク・サービスと屋内の家庭使用またはオフィス使用のためのフェムトセル・ネットワークとの両方を加入者に提供する通信システム）は、一般に、フェムトセル・ネットワークをマクロ・ネットワークのサブネットワークとして扱い、したがって、実質的に同一の形で通信を扱う。そのような扱いは、ＨＮＢが、携帯電話機または他のＵＥとは異なって、通常は位置を変更せず、特定の既知の位置に留まるので、不利である。さらに、ＨＮＢは、家庭または他の家屋内に存在を維持し、この存在を、まだ利用されていないさまざまな形で活用することができる。
【課題を解決するための手段】
【０００７】
次では、開示される主題のいくつかの態様の基本的な理解を提供するために、開示される主題の単純化された要約を提示する。この要約は、開示される主題の完璧な概要ではない。開示される主題の主要な要素またはクリティカルな要素を識別することも、開示される主題の範囲を区切ることも、意図されていない。その唯一の目的は、後で提示される、より詳細な説明の前置きとして、開示される主題のいくつかの概念を単純化された形で提示することである。
【０００８】
本明細書で開示される主題は、その一態様で、家屋の管理または監視を容易にするためにフェムトセル・ネットワーク・インフラストラクチャを活用できるアーキテクチャを含む。これおよび他の関係する目的によれば、このアーキテクチャは、管理サービスまたは監視サービスのユーザに関連する家屋で動作するｈｏｍｅ  ｎｏｄｅＢ（ＨＮＢ）デバイスにインターフェースできる通信コンポーネントを含むことができる。了解できるように、管理サービスまたは監視サービスは、たとえば家屋で便利に収集できる状態情報を入手し、集約し、処理し、かつ／または分配するために、ユーザに関連する家庭または他の家屋内のＨＮＢデバイスの存在を活用することができる。
【０００９】
さらに、このアーキテクチャは、少なくとも１つのセンサから状態情報を受信できるセンサ管理コンポーネントを含むことができ、状態情報は、家屋の状態に関係するものとすることができ、あるいは、管理サービスまたは監視サービスに従って少なくとも１つのセンサによって検出される家屋の機器、コンポーネントまたはデバイスの状態に関係するものとすることができる。
【００１０】
１つの例示的態様では、少なくとも１つのセンサを、サード・パーティ・ユーティリティ・プロバイダによって維持される需給計器に動作可能にまたは通信的に結合することができる。したがって、このアーキテクチャは、計器読み値の動的獲得または自動獲得と、サード・パーティ・ユーティリティ・プロバイダへのこれらの読み値の伝搬とを容易にすることができる。もう１つの例示的態様では、少なくとも１つのセンサは、たとえばアラーム・システム、（測定されない）リソースを消費するデバイスもしくは機器、または環境条件モニタもしくは環境条件デバイスのうちの１つに動作可能にまたは通信的に結合され得る。したがって、このアーキテクチャは、従来のホーム・アラーム・サービスを置換する時に緊急の場合に当局または救急隊員の通知を容易にし、あるいは、サード・パーティ・アラーム・サービスと共に働く時にホーム・アラーム・サービスにより頑健な特徴を追加することができる。それに加えてまたはその代わりに、このアーキテクチャは、ある種の条件が満足される（たとえば、機器がアクティブである、温度があるレベルである…）時に許可された当事者（たとえば、ユーザまたは家屋の所有者）に通知することができる。したがって、許可された当事者は、家屋の実質的にすべての所望の属性または状態について知らされることができ、家屋から離れている時であっても、将来の通知に関係する設定を調整し、またはそれに応答して行うべき適切なアクションを指定することができる。
【００１１】
次の説明および添付図面は、開示される主題のある種の例示的態様を詳細に示す。しかし、これらの態様は、開示される主題の原理を使用できるさまざまな形のうちの少数のみを示し、開示される主題は、すべてのそのような態様およびその同等物を含むことが意図されている。開示される主題の他の利益および区別する特徴は、図面と共に検討される時に、開示される主題の次の詳細な説明から明白になる。
【図面の簡単な説明】
【００１２】
【図１】家屋の管理または監視を容易にするためにフェムトセル・ネットワーク・インフラストラクチャおよび／またはフェムトセル・ネットワーク・プラットフォームを活用できるシステムを示すブロック図である。
【図２】センサ管理コンポーネントおよび関連するセンサの追加の態様または特徴を示す、システムを示すブロック図である。
【図３】家屋の管理または監視に関連するさまざまなネットワーク化されたコンポーネントの間での要求および／または状態情報の伝搬を容易にすることができるシステムを示すブロック図である。
【図４】家屋管理サービスまたは家屋監視サービスを容易にするためにフェムトセル・ネットワークを使用できるシステムを示すブロック図である。
【図５】家屋管理サービスもしくは家屋監視サービスまたはそのコンポーネントを容易にするためのフェムトセル・ネットワークの接続利用に関する追加の特徴、態様、または詳細を提供するシステムを示すブロック図である。
【図６】さまざまな判定または推論を実行しまたは助けることができるシステムを示すブロック図である。
【図７】家屋の管理または監視を容易にするためにフェムトセル・ネットワーク・インフラストラクチャを活用する方法を定義する手順を示す例示的流れ図である。
【図８】家屋の管理または監視を容易にすることに関連する状態情報を獲得し、かつ／または利用する方法を定義する手順を示す例示的流れ図である。
【図９】家屋の管理または監視を容易にするためのフェムトセル・ネットワーク・インフラストラクチャの活用に関連するさまざまな追加の特徴または態様を提供する方法を定義する手順を示す例示的流れ図である。
【図１０】本明細書で説明される諸態様による企業ネットワークの動作を可能にすることができる関連するコンポーネントと共に例の無線通信環境を示す図である。
【図１１】本明細書の諸態様による無線カバレージのためのマクロ・セルの概略展開を示す図である。
【図１２】開示されるアーキテクチャの一部を実行するように動作可能なコンピュータを示すブロック図である。
【発明を実施するための形態】
【００１３】
開示される主題を、これから図面を参照して説明するが、図面では、同様の符号が、終始、同様の要素を参照するのに使用される。次の説明では、説明において、開示される主題の完全な理解を提供するために、多数の特定の詳細を示す。しかし、開示される主題を、これらの特定の詳細なしで実践できることは明白であろう。他の場合には、開示される主題の説明を容易にするために、周知の構造およびデバイスをブロック図の形で示す。
【００１４】
本願で使用される時に、用語「システム」、「コンポーネント」、「インターフェース」、および類似物は、コンピュータ関連のエンティティまたは１つもしくは複数の特定の機能性を有する動作可能な機械に関係するエンティティを指すことが意図されている。本明細書で開示されるエンティティを、ハードウェア、ハードウェアとソフトウェアとの組合せ、ソフトウェア、または実行中のソフトウェアのいずれかとすることができる。たとえば、コンポーネントを、プロセッサ上で動作するプロセス、プロセッサ、オブジェクト、実行可能ファイル、実行のスレッド、プログラム、および／またはコンピュータとすることができるが、これらであることに限定はされない。たとえば、サーバ上で動作するアプリケーションとそのサーバとの両方を、コンポーネントとすることができる。１つまたは複数のコンポーネントが、１つのプロセスおよび／または実行のスレッド内に存在することができ、１つのコンポーネントを、１つのコンピュータ上に局所化し、かつ／または複数のコンピュータの間で分散させることができる。これらのコンポーネントを、さまざまなデータ構造をその上に格納されたさまざまなコンピュータ可読媒体から実行することもできる。コンポーネントは、１つまたは複数のデータ・パケットを有する信号（たとえば、ローカル・システム内で、分散システム内で、および／または信号を介して他のシステムとインターネットなどのネットワークを介して他のコンポーネントと相互作用する１つのコンポーネントからのデータ）に従うなどして、ローカル・プロセスおよび／またはリモート・プロセスを介して通信することができる。もう１つの例として、コンポーネントは、プロセッサによって実行されるソフトウェア・アプリケーション（１つまたは複数）またはファームウェア・アプリケーション（１つまたは複数）によって動作させられる電気回路網または電子回路網によって動作させられる機械部品によって提供される特定の機能性を有する装置とすることができ、このプロセッサは、装置の内部または外部とすることができ、ソフトウェア・アプリケーションまたはファームウェア・アプリケーションの少なくとも一部を実行する。もう１つの例として、コンポーネントを、機械的部品を用いずに電子コンポーネントを介して特定の機能性を提供する装置とすることができ、この電子コンポーネントは、電子コンポーネントの機能性を少なくとも部分的に与えるソフトウェアまたはファームウェアを実行するプロセッサをその中に含むことができる。インターフェースは、入出力（Ｉ／Ｏ）コンポーネント、ならびに関連するプロセッサ、アプリケーション、および／またはＡＰＩコンポーネントを含むことができる。
【００１５】
さらに、開示される主題を、開示される主題を実施するようにコンピュータを制御するためにソフトウェア、ファームウェア、ハードウェア、またはその組合せを作るのに標準的なプログラミング技法および／または工学技法を使用して方法、装置、または製造品として実施することができる。用語「製造品」は、本明細書で使用される時に、任意のコンピュータ可読デバイス、担体、または媒体からアクセス可能なコンピュータ・プログラムを含むことが意図されている。たとえば、コンピュータ可読媒体は、磁気ストレージ・デバイス（たとえば、ハード・ディスク、フロッピ・ディスク、磁気ストリップ…）、光ディスク（たとえば、コンパクト・ディスク（ＣＤ）、ディジタル多用途ディスク（ＤＶＤ）…）、スマート・カード、およびフラッシュ・メモリ・デバイス（たとえば、カード、スティック、キー・ドライブ…）を含むことができるが、これに限定はされない。さらに、電子メールの送信および受信またはインターネットもしくはローカル・エリア・ネットワーク（ＬＡＮ）などのネットワークへのアクセスに使用されるものなどの搬送波を、コンピュータ可読電子データを搬送するのに使用できることを了解されたい。もちろん、当業者は、開示される主題の範囲および趣旨から逸脱せずに、この構成に対して多数の変更を行えることを認めるであろう。
【００１６】
本明細書で使用される時に、用語「推論する」または「推論」は、一般に、イベントおよび／またはデータを介して取り込まれた観察のセットからシステム、環境、および／またはユーザの状態について推理しまたはこれを推論するプロセスを指す。推論を使用して、特定の文脈またはアクションを識別することができ、あるいは、推論は、たとえば状態にわたる確率分布を生成することができる。推論は、確率的すなわち、データおよびイベントの考慮に基づく関心を持たれている状態にわたる確率分布の計算とすることができる。推論は、イベントおよび／またはデータのセットからより高いレベルのイベントを構成するのに使用される技法を指すこともできる。そのような推論は、イベントが時間的に近い近接で相関するか否かにかかわりなく、イベントおよびデータが１つまたは複数のイベント・ソースおよびデータ・ソースに由来するかどうかにかかわりなく、観察されたイベントおよび／または格納されたイベント・データのセットからの新しいイベントまたはアクションの構成をもたらす。
【００１７】
さらに、「ユーザ機器」、「移動局」、「モバイル」、加入者ステーション」、「アクセス端末」、「端末」、「送受器」、および類似する用語法などの用語は、一般に、データ、制御、音声、ビデオ、サウンド、ゲーミング、または実質的にすべてのデータ・ストリームもしくはシグナリング・ストリームを受信するか伝えるために無線通信サービスの加入者またはユーザによって利用される無線デバイスを指す。前述の用語は、本明細書および関係する図面で交換可能に利用される。同様に、用語「アクセス・ポイント」、「基地局」、「セル・サイト」、および類似物は、本願で交換可能に利用され、データ、制御、音声、ビデオ、サウンド、ゲーミング、または実質的にすべてのデータ・ストリームもしくはシグナリング・ストリームを加入者ステーションのセットから受信し、サービスする、無線ネットワーク・コンポーネントまたは無線ネットワーク機器を指す。データ・ストリームおよびシグナリング・ストリームを、パケット化されたフローまたはフレームベースのフローとすることができる。本明細書および図面では、文脈または明示的な区別が、屋外環境でモバイル・デバイスにサービスし、これからデータを受信するアクセス・ポイントまたは基地局と、屋外カバレージ・エリアにオーバーレイされた閉じ込められた主に屋内の環境で動作するアクセス・ポイントまたは基地局とに関する相違を提供することに留意されたい。データ・ストリームおよびシグナリング・ストリームを、パケット化されたフローまたはフレームベースのフローとすることができる。
【００１８】
さらに、用語「ユーザ」、「加入者」、「顧客」、「消費者」、および類似物は、これらの用語の間の特定の区別（１つまたは複数）を文脈が保証しない限り、本明細書全体を通じて交換可能に使用される。そのような用語が、人間のエンティティ、関連するデバイス、またはシミュレートされた視覚、音声認識などを提供できる人工知能を介してサポートされる自動化されたコンポーネント（たとえば、複雑な数学的形式に基づいて推論を行う能力）を指すことができる。さらに、用語「無線ネットワーク」および「ネットワーク」は、本願では交換可能に使用され、その用語が利用される文脈が明瞭さのために区別を保証する時には、そのような区別が明示的に行われる。
【００１９】
さらに、単語「例示的な」は、本明細書では、例、実例、または例示として働くことを意味する。本明細書で「例示的」として説明されるすべての態様または設計は、必ずしも、他の態様または設計に対して好ましいまたは有利とは解釈されない。そうではなく、単語例示的の使用は、具体的な形で概念を提示することが意図されている。本願で使用される時に、用語「または」は、排他的な「または」ではなく包含的な「または」であることが意図されている。すなわち、そうではないと指定されない限り、または文脈から明瞭でない限り、「ＸはＡまたはＢを使用する」は、自然な包含的な組合せのすべてを意味することが意図されている。すなわち、ＸがＡを使用する場合、ＸがＢを使用する場合、またはＸがＡとＢとの両方を使用する場合に、「ＸはＡまたはＢを使用する」は、前述の実例のいずれの下でも満足される。さらに、冠詞「ａ」および「ａｎ」は、本願および特許請求の範囲で使用される時に、一般に、そうではないと指定されない限りまたは文脈から単数形を対象とすることが明瞭でない限り、「１つまたは複数」を意味すると解釈されなければならない。
【００２０】
これから図面を参照し、まず図１を参照すると、家屋の管理または監視を容易にするためにフェムトセル・ネットワーク・インフラストラクチャおよび／またはフェムトセル・ネットワーク・プラットフォームを活用できるシステム１００が示されている。一般に、システム１００は、家屋１０６で動作するｈｏｍｅ  ｎｏｄｅＢ（ＨＮＢ）デバイス１０４にインターフェースできる通信コンポーネント１０２を含むことができる。家屋１０６は、実際の資産に関係するものとすることができ、ビルディングまたは構造物の内部領域ならびに通常はＨＮＢデバイスが配置された家庭、オフィス、または他の資産である外部の直接の周囲との一方または両方を含むことが意図されている。たとえば、家屋１０６を、ユーザ１０８の家庭またはオフィスとすることができ、ユーザ１０８は、管理サービスまたは監視サービス１１０の顧客または加入者とすることができる。符号１１０が、本明細書では管理サービスまたは監視サービスあるいはそのコンポーネントのいずれかまたは両方を表すことが意図されていることを理解されたい。
【００２１】
さらに、ユーザ１０８は、個人として図示されているが、セルラ電話機、送受器、または他のモバイル・デバイスなどの適切なデバイスならびにパーソナル・コンピュータまたはラップトップ機などの他のコンピューティング・デバイスの代理または代表として働くことができる。したがって、ユーザ１０８へのデータの送信またはユーザ１０８からのデータの受信などの本明細書で詳細に説明されるデータ・トランザクションは、関連するデバイスによるユーザ１０８への提示もしくはユーザ１０８による入力または単純にユーザ１０８のデバイスとのトランザクションを示すように働くことができる。さらに、ユーザ１０８が、（管理サービスまたは監視サービス１１０に加えて）フェムトセル・ネットワーク・プロバイダの顧客または加入者でもあることができることを了解されたい。フェムトセル・ネットワーク・プロバイダは、たとえばユーザ１０８の家屋１０６でＨＮＢデバイス１０４を設置し維持すると同時に、図１０および１１に関連して後でその例が説明されるフェムトセル・ネットワーク・プラットフォーム１１８などのさまざまな他のフェムトセル・ネットワーク機器またはプラットフォームを管理しまたは維持することができる。
【００２２】
さらに、システム１００は、少なくとも１つのセンサ１１６から状態情報１１４を受信できるセンサ管理コンポーネント１１２をも含むことができる。センサ管理コンポーネント１１２が、多数のセンサ１１６ならびに広範囲のタイプのセンサ１１６にインターフェースできるが、単純化のために、本開示の残りのいくつかの部分が、単一のセンサ１１６だけに言及する場合があることを理解されたい。そのような場合であっても、複数のセンサ１１６に置換できることを了解されたい。さらに、センサ１１６によって入手される状態情報１１４は、たとえば、センサ１１６によっておよび／または管理サービスまたは監視サービス１１０に関連して検出される、家屋１０６の状態、またはこれに関係する機器、デバイス、もしくはコンポーネントの状態に関係するものとすることができる。
【００２３】
本明細書で参照によって説明されるように、単一のＨＮＢデバイス（たとえば、ＨＮＢデバイス１０４）または論理集合もしくは論理グループを、マクロ・ネットワーク（図示せず）を介してユーザにメッセージを送信するのに通常使用されるようにフラッド・ブロードキャスティングを利用するのではなく、フェムトセル・ネットワークによって伝搬される直接の排他的な通信によってターゲットにすることができる。たとえば、モバイルに通信を配信する時には、モバイル・デバイスがフェムトセル・ネットワーク加入者である時であっても、モバイル・デバイスの位置が一般に既知ではないので、フラッド・ブロードキャスティングが伝統的に使用される。しかし、個々のＨＮＢデバイス（または個々のモバイル・デバイスさえ）またはＨＮＢもしくはモバイル・デバイスの論理グループ化をターゲットにすることを、たとえば、特定の郵便番号またはたとえばユーティリティ会社もしくは別のサード・パーティ１２０のサービス・エリアと一致するものとすることができる論理的に割り当てられたサービス・エリア識別子（ｓｅｒｖｉｃｅ  ａｒｅａ  ｉｄｅｎｔｉｆｉｅｒ）（ＳＡＩ）または類似物によって、達成することができる。したがって、特定のＳＡＩを、たとえば特定の郵便番号または区域内の電カ会社の全顧客に割り当てることができる。したがって、電気会社は、今や、特定のＳＡＩを使用することによってこれらの顧客だけに請求通知または類似物のターゲットを絞ることができる。
【００２４】
上で述べたまたは他の形で言及した特徴（たとえば、特定の家庭をターゲットにする能力）が現在開示されている主題に関連して使用されるか否かにかかわりなく、ＨＮＢによって与えられる専用通信信号の家屋（たとえば家屋１０６）内の存在を活用して、ユーザ１０８、フェムトセル・ネットワーク・プロバイダ１１８、ならびにたとえばサード・パーティ１２０によって供給される電気について支払う取決めまたは契約など、ユーザ１０８が契約しているサード・パーティ１２０のいずれかに、複数の利益を提供することができることを了解されたい。１つのそのような利益を、家屋１０６でのフェムトセル・ネットワークの存在を活用できると同時にサード・パーティ１２０の既存のインフラストラクチャまたはサービスを活用するか置換することができる、フル機能の家屋の管理サービスまたは監視サービス１１０のプロビジョニングとすることができる。したがって、サード・パーティ１２０によって提供される現在のサービス、特徴、またはオプションを、実質的に機能強化することができると同時に、新しいサービスまたはオプションを、ユーザ１０８に提供することもでき、これを、残りの図面を参照してさらに議論する。
【００２５】
図示されているように、通信コンポーネント１０２とセンサ管理コンポーネント１１２との一方または両方に、家屋１０６の地理的境界内に位置を与えることができるが、これが、すべての場合に厳密に必要ではないことを了解されたい。さらに、通信コンポーネント１０２またはセンサ管理コンポーネント１１２の一方または両方のすべてまたは諸部分を、ＨＮＢデバイス１０４に含めることができることを了解されたい。代替案では、通信コンポーネント１０２またはセンサ管理コンポーネント１１２の一方または両方のすべてまたは諸部分を、たとえば一般に家屋１０６内に含まれ、有線または無線のいずれかでＨＮＢデバイス１０４に通信的に結合される独立型ユニットとして、ＨＮＢデバイス１０４からリモートとすることができる。図２および３は、システム１００またはそのコンポーネントに関係する追加の詳細、態様、または特徴を提供する。
【００２６】
同様に、別個の要素として図示されているが、管理サービス・コンポーネントまたは監視サービス・コンポーネント１１０のすべてまたは諸部分を、フェムトセル・ネットワーク・プラットフォーム１１８内に含めることができる。しかし、管理サービス・コンポーネントまたは監視サービス・コンポーネント１１０が、本明細書で詳細に説明される利益を提供するためにさまざまなインフラストラクチャを活用しながら、複数のフェムトセル・ネットワーク・プラットフォーム１１８に、潜在的には競合するプロバイダにさえ、インターフェースできることを了解されたい。したがって、１つまたは複数のフェムトセル・ネットワーク・プラットフォーム１１８とは別々であれこれに含まれるのであれ、これらの利益を、シームレスに提供することができる。柔軟性のために、計器情報または監視データを、２つの方向すなわち、（１）計器を介してＨＮＢへ、その後にブロードバンド接続を介して請求／監視センタへ、または（２）ＨＮＢから直接に計器へ、その後にデータを要求する無線受信器（たとえば、ユーティリティ・サービス計器リーダー）へ無線でのいずれかで転送することができる。管理サービス／コンポーネントまたは監視サービス／コンポーネント１１０に関連する追加の特徴、態様、または詳細を、図４および５に関連して提供する。
【００２７】
ここで図２に移ると、システム２００には、センサ管理コンポーネント１１２および関連するセンサ１１６の追加の態様または特徴が示されている。図示されているのは、１１６Ａ〜１１６Ｅの符号を付けられた５つの例のセンサであり、それらのいずれかまたはすべてを、ワイヤを介してまたは無線でセンサ管理コンポーネント１１２に結合することができる。追加の文脈を提供するために、サード・パーティ１２０が電気プロバイダである、上で導入した例を検討されたい。通常、電気プロバイダは、家屋１０６に、以前に設置された需給計器２０２を有する。この例において、需給計器は電気計器に関係するが、任意の適切なリソース計器２０２を使用できることを了解されたい。測定できるリソースの図２に示されいくつかの追加の例が、天然ガス、プロパン、水、廃棄物（たとえば、下水またはごみ）またはその処理、電話サービス、ケーブルまたは他のデータ・サービスなどである。
【００２８】
従来、電気（または他のリソース）プロバイダは、家屋の所有者に正確に請求するために、そのような計器２０２を手作業で読み取るために技師を周期的に急派する。いくつかの場合に、特により現代的な機器で、需給計器２０２は、技師（適切な受信機器と一緒に）が信号の範囲内の位置に入る時に読み値を送信できる短距離無線送信機／受信器（すなわち、トランシーバ）を備える。そのような無線機能は、技師による読みの誤りを軽減し、計器読取りを単純にすることができ、したがって電気プロバイダのコストを減らすことができるが、技師は、それでも、計器の範囲内にいる必要があり、この範囲は、送信器の出力レベル、受信器の感度、ならびに他の要因に応じて約１０〜２０フィートである。したがって、無線送信機を備える計器２０２を用いても、計器読取りは、それでも、リソース・プロバイダにとってかなりの出費を表し、これは、最終的にユーザ１０８の請求でのユーザ１０８にとってのより高い価格をもたらす。
【００２９】
開示される主題の１つまたは複数の態様では、図１に関連して議論した状態情報１１４は、需給計器２０２から少なくとも１つのセンサ（たとえば、センサ１１６Ａまたは１１６Ｂ）によって入手された読み値に関係するものとすることができ、需給計器２０２は、家屋１０６に関連するリソースの使用量を追跡する。リソース・プロバイダが、計器２０２に無線送信機（たとえば、センサ１１６Ａ）を既に備え付けている場合には、その送信器は、一般に、図示のように計器２０２内に含まれ、計器２０２に動作可能に結合される。しかし、そうである必要がないことを了解されたい。そうではなく、センサ１１６Ａは、いくつかの場合に、需給計器２０２とは別々であるが、需給計器２０２に通信的に結合されるものとすることができる。それにかかわりなく、計器読みデータを含むことができる状態情報１１４を、センサ管理コンポーネント１１２に供給することができ、最終的に、適当なサード・パーティ・ネットワーク１２０（たとえば、この例では電気プロバイダ）に戻って転送し、あるいは、本明細書でさらに議論する別の形で利用することができる。了解できるように、計器読みの誤りを軽減することができ、さらに、家屋１０６でのＨＮＢデバイス１０４の存在に起因して、サード・パーティ１２０は、計器を読み取る技師を急派する必要が全くなく、これは、かなりの節約になる可能性がある。
【００３０】
需給計器２０２が無線送信機を備えない場合には、リソース・プロバイダ（たとえば、サード・パーティ１２０）または管理サービスもしくは監視サービス１１０の一方または両方が、無線送信器を設置することを望む可能性がある。それに加えてまたはその代わりに、状態情報１１４をセンサ管理コンポーネント１１２に送信する少なくとも１つのセンサを、符号１１６Ｂによって示される、カメラなどのイメージング・デバイスとすることができる。言い替えると、計器読み値の形の状態情報１１４を、需給計器２０２の少なくとも一部、たとえば使用量累算器（ｕｓａｇｅ  ａｃｃｕｍｕｌａｔｏｒ）を有する部分のイメージに基づくものとすることができる。一般に、そのような使用量累算器は、図示されているように馴染みのある走行距離計の形で存在するが、いくつかの計器２０２が、ラジアル・アグリゲータ（ｒａｄｉａｌ  ａｇｇｒｅｇａｔｏｒ）、ダイヤル・アグリゲータ（ｄｉａｌ  ａｇｇｒｅｇａｔｏｒ）、または類似物など、他の形でリソース使用量を追跡することを了解されたい。それにかかわりなく、計器読み値を、センサ１１６Ｂによって取り込まれたイメージの形でセンサ管理コンポーネント１１２に配信することができる。そのような配置は、実際の内部計器機構自体への物理的結合またはインターフェースの必要をなくすことができる。これは、既存計器に対する潜在的な外乱をすべて除去しながら、複数の異なる計器プラットフォーム・タイプにまたがる最終的な柔軟性およびインターオペラビリティを提供する。
【００３１】
センサ１１６Ｂは、センサ１１６Ａの設置および／または計器２０２の交換に対する潜在的により低コストの代替案を表す。さらに、セキュリティを改善し、かつ／または詐欺または改竄を防ぐために、センサ１１６Ｂを、計器２０２のロックされた領域の内部に配置することができる。他の場合に、透かしまたは真正証明書（ｃｅｒｔｉｆｉｃａｔｅ  ｏｆ  ａｕｔｈｅｎｔｉｃｉｔｙ）（ＣＯＡ）、ＣＯＡの技術で現在既知のまたは今後開発される他の機構、あるいは視覚的またはイメージ・ベースの証明書を、累算器の近くに配置することができ、センサ１１６Ｂによって導出されるすべてのイメージが、ある範囲まで実際の計器２０２からのイメージであることを保証できるようになる。この場合に、センサ管理コンポーネント１１２に送信される状態情報１１４は、累算器のイメージを含むことができる。このイメージを、図３（たとえば、通信コンポーネント１０２によって）および５（たとえば、マスタ管理コンポーネント４０６によって）に関連してさらに説明するように処理することができる。
【００３２】
これまでに詳細に説明した特徴は、ユーティリティ管理のさまざまな態様に関係したが、多数の他の特徴を提供できることを了解されたい。たとえば、センサ１１６によって獲得される状態情報１１４が、計器データだけに限定される必要はない。そうではなく、状態情報１１４は、なかんずく、１つまたは複数のセンサ１１６Ｃによってインターフェースされる家屋１０６のアラーム・システム２０４の状態、１つまたは複数のセンサ１１６Ｄによってインターフェースされる（測定されない）リソース消費デバイス２０６の状態またはアクティビティ・レベル、１つまたは複数のセンサ１１６Ｅによってインターフェースされる家屋１０６の環境条件ベースのデバイス２０８に関連する状態に関係するものとすることができる。
【００３３】
アラーム・システム２０４は、家屋１０６で動作する、既存の機器、既存のインフラストラクチャ、またはこれらに関係する実質的にすべての適切なデバイスに関係するものとすることができる。したがって、状態情報１１４は、任意の既存のアラーム・システム２０４の状態（たとえば、装着されまたはアクティブ化されているかどうか）、ドアまたは窓の状態（たとえば、開いているのか閉じているのか）、動き検出器、雑音検出器、または他の検出器の状態（たとえば、装着されているかどうかまたはトリガされた時）に関係するものとすることができる。了解できるように、サード・パーティ１２０セキュリティ会社は、複数の形でコストを削減するために開示される主題を使用することができ、あるいは、フェムトセル・ネットワーク・プロバイダ１１８は、家屋１０６セキュリティのさまざまな態様を管理することができ、これを、図３および５を参照してさらに説明する。
【００３４】
同様に、リソース消費デバイス２０６は、一般に、炉、空調ユニット、ライト、スプリンクラ、その他など、測定されないデバイスに関係するものとすることができる。したがって、センサ（１つまたは複数）１１６Ｄによって伝搬される状態情報１１４は、そのようなデバイスの状態（たとえば、アクティブであるかどうか）に関係するものとすることができる。さらに、図３および５に関連して詳細に説明するように、そのようなデバイス２０６を、たとえばフェムトセル・ネットワーク１１８および／または他のネットワーク・コンポーネントによって、家屋１０６から離れている時にユーザ１０８によって、リモートに監視しまたは管理する（たとえば、アクティブ化しまたは非アクティブ化する）ことができる。もう１つの例では、状態情報１１４は、家屋１０６またはその一部でのさまざまな環境条件に関係するものとすることができる。たとえば１つまたは複数の部屋の温度読み値、空気内の二酸化炭素（ＣＯ２）レベル、チャンバ内の水位、その他など、そのような環境条件を、さまざまなデバイス２０８によって入手することができる。状態情報１１４の実際のタイプまたは性質にかかわりなく、これらのデータを、符号２０２〜２０８に関連するデバイスまたはユニット内に含まれても含まれなくてもよいセンサ１１６Ａ〜１１６Ｅによって獲得し、センサ管理コンポーネント１１２に戻って送信することができ、センサ管理コンポーネント１１２では、そのようなデータは、本明細書で詳細に説明するように、最終的に解釈され、かつ／または作用され得る。
【００３５】
ここで図３を参照すると、家屋の管理または監視に関連するさまざまなネットワーク化されたコンポーネントの間での要求および／または状態情報の伝搬を容易にすることができるシステム３００が提供される。システム３００は、その例が上で詳細に説明された１つまたは複数のセンサ１１６、ならびに前に開示されたようにセンサ（１つまたは複数）１１６から状態情報１１４を受信できるセンサ管理コンポーネント１１２を含むことができる。詳細に説明したものに加えて、開示される主題の１つまたは複数の態様では、センサ管理コンポーネント１１２は、自動要求３０２によって状態情報１１４を自動的に要求することができる。センサ管理コンポーネント１１２は、たとえば、たとえばサード・パーティ１２０ユーティリティ・プロバイダに従ってまたはその命令通りに、所定のインターバルで自動要求３０２を配信することができる。したがって、自動要求３０２を、たとえばユーザ１０８が関連するサード・パーティ１２０ユーティリティ・プロバイダのサービスを保持する月ごとにその月の最後の日に、またはたとえばユーザ１０８がたとえば家屋１０６の状況をリモート監視しまたは家屋１０６を管理するためによその町にいる間の４時間おきに、送信することができる。それに加えてまたはその代わりに、センサ管理コンポーネント１１２は、自動命令３０４として示されている、所定のインターバルで状態情報１１４を自動的に送信するようにセンサ（１つまたは複数）１１６に指示することができる。したがって、センサ１１６からの通信は、請求された通信または請求されない通信のいずれかとすることができ、したがって、プッシュ技術またはプル技術のいずれかを対象とすることができる。
【００３６】
開示される主題の１つまたは複数の態様では、通信コンポーネント１０２は、直接にまたは間接にのいずれかで、状態情報１１４のリアルタイム要求３０６を受信することができる。リアルタイム要求３０６を、センサ管理コンポーネント１１２に転送することができる。したがって、センサ管理コンポーネント１１２は、状態情報１１４を即座に送信するようにセンサ１１６に指示するのにリアルタイム要求３０６を使用することができる。適切な状態情報１１４の受信時に、通信コンポーネント１０２は、管理サービスまたは監視サービス（たとえば、１１０）へまたはフェムトセル・ネットワーク１１８もしくはサード・パーティ１２０に関連する実質的にすべてのアップストリーム・コンポーネントもしくはプロバイダへの、ＨＮＢデバイス１０４による状態情報１１４の伝搬を容易にすることができる。したがって、家屋１０６に存在するセンサ１１６によって入手される情報に関する要求が、実質的にどこからでも発することができ、実質的にすべての許可された当事者またはそのエージェントから発することができることを了解されたい。それに応答して、要求されたデータ（たとえば、状態情報１１４）を、ネットワーク・インフラストラクチャおよびフェムトセル・ネットワークの家屋での存在を活用することによって、位置にかかわりなく実質的にすべての許可された当事者またはそのエージェントに配信することができる。
【００３７】
したがって、開示される主題は、たとえば、サード・パーティ１２０ユーティリティ・プロバイダが、家屋１０６の敷地に技師を展開することなく計器読みデータを要求し、受信することを可能にすることができる。さらに、サード・パーティ１２０ユーティリティ・プロバイダは、アカウント情報または類似物などのさまざまな他のデータを要求することもできる。もう１つの例として、ユーザ１０８は、たとえば、家屋１０６付近での熱波報告の観察に応答して、家庭から離れている時であっても、ホーム・スプリンクラ・システムに関係する状態情報１１４を要求し、そのシステムが現在インアクティブであることの表示を受信し、スプリンクラ・システムをアクティブ化する命令を送信することができる。そのような通信は、たとえばそれについて問い合わされる現在はインアクティブのスプリンクラをアクティブ化するなどのために、たとえば埋め込まれたリンクを潜在的に有するＳＭＳメッセージを使用して、モバイル・デバイスによって達成することができる。
【００３８】
さらに、開示される主題の１つまたは複数の態様では、システム３００（またはシステム１００）は、さらに、変換コンポーネント３０８を含むことができる。変換コンポーネント３０８は、通信コンポーネント１０２による伝搬または伝播の前に状態情報１１４を変換することができる。たとえば、変換コンポーネント３０８は、生の状態情報１１４Ａ（たとえば、１つまたは複数のセンサ１１６によって送信されるデータ）を受信し、生の状態情報１１４Ａを処理された状態情報１１４Ｂ（たとえば、より便利なまたは他のコンポーネントもしくはデバイスによって使用可能なデータ）に変換することができる。一例として、センサ１１６が需給計器アグリゲータのイメージ（たとえば、生の状態情報１１４Ａ）を送信する場合を検討されたい。そのようなデータは、通常、イメージ・ベースの符号化で存在し、この符号化は、データ・フィールドに差し込むために英数字フォーマットのデータを好む可能性があるサード・パーティ１２０ユーティリティ・プロバイダに適切ではない可能性がある。したがって、変換コンポーネント３０８は、たとえば光学文字認識（ＯＣＲ）または類似物を使用して、イメージを別の所望のフォーマットに変換することができる。了解できるように、上記は、１つの例を構成するのみであり、他の例を想像でき、この他の例は、開示される主題に適切であるものとすることができる。たとえば、物体認識を、状態情報１１４がそこから作られるセンサ１１６の１タイプに潜在的に関連する、機械学習技法と一緒に使用することができる。
【００３９】
ここで図４を参照すると、家屋管理サービスまたは家屋監視サービスを容易にするためにフェムトセル・ネットワークを使用できるシステム４００が示されている。一般に、システム４００は、ＨＮＢデバイスのセット４０４とインターフェースするように構成され得るインターフェース・コンポーネント４０２を含むことができる。セット４０４は、実質的に任意の個数ＮのＨＮＢデバイス４０４１〜４０４Ｎならびに本開示全体を通じて一貫して使用される以前に参照されたＨＮＢデバイス１０４を含むことができる。ＨＮＢデバイスのセット１０４は、１つまたは複数のフェムトセル・ネットワーク・プロバイダ１１８のユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）（ＵＭＴＳ）地上無線アクセス・ネットワーク（Ｔｅｒｒｅｓｔｒｉａｌ  Ｒａｄｉｏ  Ａｃｃｅｓｓ  Ｎｅｔｗｏｒｋ）（ＵＴＲＡＮ）のすべてまたは一部を表すことができる。
【００４０】
インターフェース・コンポーネント４０２は、セット４０４に含まれる特定のＨＮＢデバイス（たとえば、ＨＮＢデバイス１０４）から状態情報１１４を受信することができる。そのような状態情報１１４を、最初に、特定のＨＮＢデバイス１０４の位置に関係する家屋（たとえば、家屋１０６）で少なくとも１つのセンサ（たとえば、前の図のセンサ１１６）によって入手でき、上で述べたようにその家屋の状態に関係するものとすることができる。
【００４１】
さらに、システム４００は、状態情報１１４ならびにさまざまな他の適切なデータを、データ・ストア４０８に、たとえばＨＮＢデバイス１０４またはユーザ１０８などのＨＮＢデバイス１０４のユーザに関連するアカウント・レコード４１０に格納できるマスタ管理コンポーネント４０６をも含むことができる。本明細書で使用される時に、データ・ストア４０８は、本明細書で説明される、または説明される主題と共に使用するのに他の形で適する、データ、データ・セット、または情報のすべてまたは諸部分のリポジトリであることが意図されている。データ・ストア４０８は、集中化された、リモートにもしくはローカルにのいずれかでキャッシングされる、または潜在的に複数のデバイスおよび／もしくはスキーマにまたがって分散されたものとすることができる。さらに、データ・ストア４０８を、揮発性もしくは不揮発性、シーケンシャル・アクセス、構造化アクセス、またはランダム・アクセスなどを含むがこれに限定されない実質的にすべてのタイプのメモリとして実施することができる。データ・ストア４０８のすべてまたは諸部分を、システム４００または１００に含めることができ、あるいは、部分的にまたは完全にシステム４００（またはシステム１００）からリモートに存在できることを理解されたい。
【００４２】
それにかかわりなく、アカウント・レコード４１０および／またはデータ・ストア４０８は、状態情報１１４ならびに請求情報、ユーザ１０８とサード・パーティ１２０との間の関連、ヒストリ、プロファイル、設定、プリファレンスなどを格納することができる。したがって、マスタ管理コンポーネント４０６は、本明細書でさらに説明するように、家屋管理サービスまたは家屋監視サービスを提供するのに状態情報１１４（またはアカウント・レコード４１０もしくはデータ・ストア４０８内に含まれる他のデータ）を使用することができる。システム４００が、管理サービスまたは監視サービス（たとえば、１１０）のすべてまたは一部を構成することができ、前に述べたように、ＨＮＢデバイスのセット４０４からアップストリーム、たとえば、フェムトセル・ネットワーク・プラットフォーム１１８コンポーネントまたは無線通信システムのマクロ・ネットワークもしくはコア・ネットワークのコンポーネント内に存在することができることを了解されたい。したがって、システム４００または関係するコンポーネントを、さまざまなサード・パーティ・ネットワーク１２０にたやすくインターフェースすることができ、これを、図５に関連してさらに詳細に説明する。
【００４３】
ここで図５を参照すると、家屋管理サービスもしくは家屋監視サービスまたはそのコンポーネントを容易にするためのフェムトセル・ネットワークの接続利用に関する追加の特徴、態様、または詳細を提供するシステム５００が示されている。したがって、システム５００は、図１に関連して議論した管理サービス・コンポーネントまたは監視サービス・コンポーネント１１０を表すことができる。より詳細には、システム５００は、状態情報１１４を受信できるインターフェース・コンポーネント４０２と、図４に関して上で実質的に説明したように家屋管理サービスまたは家屋監視サービスを提供するのに状態情報１１４を使用できるマスタ管理コンポーネント４０６とを含むことができる。
【００４４】
さらに、システム５００（または管理サービス・コンポーネントもしくは監視サービス・コンポーネント１１０）は、さらに、少なくとも１つのサード・パーティ１２０ネットワークにインターフェースできるサービス・コンポーネント５０２を含むことができる。少なくとも１つのサード・パーティ１２０ネットワークは、前に注記したように、ユーティリティ・プロバイダ（たとえば、ガスまたは電気）、セキュリティ・プロバイダ（たとえば、ホーム・アラーム・サービス）、緊急サービス・プロバイダ（たとえば、火災または警察）、または他のサード・パーティ１２０のうちの少なくとも１つに関係するものとすることができる。
【００４５】
開示される主題の１つまたは複数の態様では、サービス・コンポーネント５０２は、関連するネットワークがデータ・ストア４０８内に格納されたデータ（たとえば、ユーザ１０８に関係するアカウント情報または以前に入手された状態情報１１４）にアクセスできるように、または１つもしくは複数のセンサ１１６にリアルタイム読み値を要求するために、サード・パーティ１２０にセキュア・ログインを提供することができる。同様に、マスタ管理コンポーネント４０６は、ユーザ１０８がたとえば特定のＨＮＢデバイス１０４（たとえば、ＳＭＳ）を介してまたはウェブベースのログインもしくはインターフェースを介してさまざまなトランザクションを行うことを可能にすることができるさまざまなインターフェースを提供することができる。たとえば、ユーザ１０８は、データ・ストア４０８に含まれるアカウント・レコード４１０または他のデータにアクセスし、１つまたは複数の事前定義のしきい値５１２をセットし、家屋１０６の現在の状態を調べ、家屋１０６の現在の状態を更新し、または類似物を行うことができる。したがって、ユーザ１０８は、リアルタイム要求３０６などの要求（たとえば、家屋１０６の特定の部屋の温度がどれほどであるのか、ドアまたは窓のいずれかが過去４８時間に開かれたか…）の送信を容易にし、リアルタイム命令５１０などの命令（たとえば、炉のサーモスタットを１０°下げる、スプリンクラをアクティブ化する…）を供給し、または状態情報１１４もしくは他の情報５０４（たとえば、下で詳細に説明する通知）を受信することができる。フェムトセル・ネットワークの固有の機能を考慮すると、上で述べた特徴ならびに他の適切な特徴のいずれかまたはすべてを、ＨＮＢデバイス１０４との直接通信によって、インターネット５０６もしくは別のネットワークを介して、またはマクロ・ネットワーク５０８を介して達成することができる。
【００４６】
さらに、マスタ管理コンポーネント４０６は、１つまたは複数の態様で、状態情報１１４と事前定義のしきい値５１２との間の比較５１４を作ることができる。たとえば、しきい値５１２は、家屋１０６のセンサ１１６の値または読み値に関係するものとすることができる。したがって、ユーザ１０８は、たとえば特定の部屋の温度の、しきい値をセットすることができる。サーモスタット・センサ１１６がしきい値５１２を超える読み値を登録する時に、それを比較５１４によって判定することができる。さらに、そのような判定は、家屋１０６だけに閉じ込められるのではなく、本明細書で詳細に説明するように、追加のアクション、応答、または特徴のためにフェムトセル・ネットワーク１１８プラットフォームを活用することができる。
【００４７】
たとえば、比較５１４に基づいて、マスタ管理コンポーネント４０６は、通知に加えて、さまざまな他のデータを同様の形で含めるか送信することができるので、他の情報５０４によって表される通知の送信を容易にすることができる。通知を、少なくとも１つのサード・パーティ１２０、他のユーザ１０８、または関連する状態情報１１４を引き起こした家屋１０６に関連する特定のＨＮＢデバイス１０４を有する別の当事者に送信することができる。マスタ管理コンポーネント４０６が、図３の変換コンポーネント３０８に関連して実質的に詳細に説明したように、処理された状態情報１１４Ｂへの生の状態情報１１４Ａの処理を扱いまたは容易にすることもできることをさらに了解されたい。したがって、状態情報１１４に含まれるデータのそのような処理または変換は、家屋１０６でオンサイトでまたはアップストリームの集中化された位置でオフサイトでのいずれかで発生することができる。
【００４８】
さらに、上で紹介したように、通知（または実質的にすべての他の情報５０４）は、ＳＭＳとしてフォーマットされ得、たとえばしきい値５１２を調整し、しきい値５１２を超える時のアクションを定義し、しきい値５１２を超える時に行うべき事前定義のアクションを受け入れるか同意し、または請求支払通知に同意するなどのための便利な手段を提供するために、ユニフォーム・リソース・ロケータ（ｕｎｉｆｏｒｍ  ｒｅｓｏｕｒｃｅ  ｌｏｃａｔｏｒ）（ＵＲＬ）、ユニフォーム・リソース識別子（ｕｎｉｆｏｒｍ  ｒｅｓｏｕｒｃｅ  ｉｄｅｎｔｉｆｉｅｒ）（ＵＲＩ）、または実質的にすべての適切な参照もしくはリンクを含むことができる。それに加えてまたはその代わりに、リンクは、送り状、ヒストリ、レシートもしくは確認、または実質的にすべての適切な情報のビューを呼び出すことができる。
【００４９】
ここで図６に移ると、さまざまな判定または推論を実行しまたは助けることができるシステム６００が示されている。一般に、システム６００は、実質的に本明細書で説明された変換コンポーネント３０８およびマスタ管理コンポーネント４０６を含むことができる。説明したものに加えて、上で述べたコンポーネントは、知的な判定または推論を行うことができる。たとえば、ベイズ確率または信頼測度（ｃｏｎｆｉｄｅｎｃｅ  ｍｅａｓｕｒｅ）を使用することができ、あるいは、推論を、ヒストリカル分析、フィードバック、および／または以前の判定もしくは推論に関係する機械学習技法に基づくものとすることができる。
【００５０】
たとえば、変換コンポーネント１０８またはマスタ管理コンポーネント４０６は、ＯＣＲまたは物体認識などの認識技法に基づいて出力を知的に判定しまたは推論することができる。さらに、マスタ管理コンポーネント４０６は、たとえば比較５１４またはしきい値５１２に基づいて行うべき適切なアクションを、または通知を提供すべき時ならびにこれらの通知に含めるべきデータのタイプを、知的に判定しまたは推論することができる。少数の例を述べると、上記を、ヒストリカル分析、データを収集するセンサ１１６のタイプに基づくものとすることができる。
【００５１】
さらに、システム６００は、さまざまな推論または判定を提供しまたは助けることができるインテリジェンス・コンポーネント６０２、具体的には、たとえば変換コンポーネント３０８またはマスタ管理コンポーネント４０６のすべてまたは部分によって提供される知的な判定または推論に関して上で説明したものに従ってまたはこれに加えて、本明細書で説明されるさまざまなコンポーネントを含むこともできる。それに加えてまたはその代わりに、インテリジェンス・コンポーネント６０２のすべてまたは諸部分を、本明細書で説明される１つまたは複数のコンポーネントに含めることができる。したがって、インテリジェンス・コンポーネント６０２は、全体的にまたは部分的に、家屋１０６またはアップストリームで集中化されたネットワーク位置のいずれかに存在することができる。さらに、インテリジェンス・コンポーネント６０２は、通常、データ・ストア４０８など、本明細書で説明されるデータ・セットのすべてまたは諸部分へのアクセスを有する。
【００５２】
したがって、本明細書で説明される多数の推論を提供しまたはこれを助けるために、インテリジェンス・コンポーネント６０２は、使用可能なデータの全体またはサブセットを調べることができ、イベントおよび／またはデータを介して取り込まれた観察のセットからシステム、環境、および／またはユーザの状態に関する推理を提供しまたはこれを推論することができる。推論は、特定の文脈またはアクションを識別するのに使用することができ、あるいは、たとえば状態にわたる確率分布を生成することができる。推論を、確率的すなわち、データおよびイベントの考慮に基づく関心を持たれている状態にまたがる確率分布の計算とすることができる。推論は、イベントおよび／またはデータのセットからより高いレベルのイベントを構成するために使用される技法を指すこともできる。
【００５３】
そのような推論は、イベントが近い時間的近接で相関しようとしまいと、イベントおよびデータが１つまたは複数のイベント・ソースおよびデータ・ソースに由来するかどうかにかかわりなく、観察されたイベントおよび／または格納されたイベント・データのセットからの新しいイベントまたはアクションの構成をもたらすことができる。さまざまな分類（明示的におよび／または暗黙のうちにトレーニングされる）の方式および／またはシステム（たとえば、サポート・ベクトル・マシン、ニューラル・ネットワーク、エキスパート・システム、ベイジアン・ネットワーク（Ｂａｙｅｓｉａｎ  ｂｅｌｉｅｆ  ｎｅｔｗｏｒｋ）、ファジイ論理、データ・フュージョン・エンジン…）を、開示される主題に関連する自動アクションおよび／または推論されたアクションの実行に関連して使用することができる。
【００５４】
分類子（Ｃｌａｓｓｉｆｉｅｒ）を、入力ベクトルｘ＝（ｘ１，ｘ２，ｘ３，ｘ４，ｘｎ）をその入力ベクトルがあるクラスに属することの信頼度に写像する関数すなわちｆ（ｘ）＝ｃｏｎｆｉｄｅｎｃｅ（ｃｌａｓｓ）とすることができる。そのような分類は、ユーザが自動的に実行されることを望むアクションを予知しまたは推論するために確率ベースの分析および／または統計ベースの分析（たとえば、分析ユーティリティおよびコストへのファクタリング）を使用することができる。サポート・ベクトル・マシン（ＳＶＭ）は、使用できる分類子の例である。ＳＶＭは、可能な入力の空間内で超曲面を見つけることによって動作し、ここで、超曲面は、トリガする判断基準をトリガしないイベントから分離することを試みる。直観的に、これは、トレーニング・データに近いが同一ではないデータのテストについて分類を正しいものにする。他の指示あり（ｄｉｒｅｃｔｅｄ）または指示なし（ｕｎｄｉｒｅｃｔｅｄ）のモデル分類手法としては、たとえば、ナイーブ・ベイズ、ベイジアン・ネットワーク（Ｂａｙｅｓｉａｎ  ｎｅｔｗｏｒｋ）、決定木、ニューラル・ネットワーク、ファジイ論理モデルを含み、独立性の異なるパターンを提供する確率分類モデルを使用することができる。本明細書で使用される分類は、優先順位のモデルを開発するのに利用される統計回帰をも含む。
【００５５】
図７、８、および９に、開示される主題によるさまざまな方法論を示す。説明の単純化のために、方法論は、一連の行為として図示され、説明されるが、一部の行為が、異なる順序でおよび／または図示され本明細書で説明される他の行為と同時に発生し得るので、開示される主題が、行為の順序によって限定されないことを理解し、了解されたい。たとえば、当業者は、方法論を、その代わりに状態図などの一連の相互に関係する状態またはイベントとして表すことができることを理解し、了解するであろう。さらに、図示された行為のすべてが、開示される主題による方法論を実施するのに必要とは限らない。さらに、この後および本明細書全体を通じて開示される方法論が、そのような方法論をコンピュータに搬送し、転送するのを容易にするために製造品に格納され得ることを、さらに了解されたい。用語製造品は、本明細書で使用される時に、任意のコンピュータ可読デバイス、担体、または媒体からアクセス可能なコンピュータ・プログラムを包含することが意図されている。
【００５６】
ここで図７に移ると、家屋の管理または監視を容易にするためにフェムトセル・ネットワーク・インフラストラクチャを活用する例示的な方法７００が示されている。一般に、符号７０２では、管理サービスまたは監視サービスのユーザに関連する家屋で動作するｈｏｍｅ  ｎｏｄｅＢ（ＨＮＢ）モジュールにインターフェースすることができる。したがって、特定のフェムトセル・ネットワークのユーザまたは加入者は、その特定のフェムトセル・ネットワークと管理サービスまたは監視サービスとの両方が同一のエンティティによって提供されるか否かにかかわりなく、管理サービスまたは監視サービスにも加入することができる。
【００５７】
同様に、符号７０４では、家屋にあるかそれに近接する少なくとも１つのセンサにインターフェースすることができる。少なくとも１つのセンサを、家屋に関連する特性を識別するように、あるいは、家屋にまたはそれに近接して配置された機器、コンポーネント、またはデバイスのために、構成することができる。したがって、符号７０６では、少なくとも１つのセンサから状態情報を受信することができる。状態情報は、たとえば、少なくとも１つのセンサによって識別された、家屋の状態またはその家屋の関連する機器、コンポーネント、またはデバイスの状態を記述することができる。了解できるように、少なくとも１つのセンサを、そのような機器、コンポーネント、またはデバイスに含めることができる。
【００５８】
ここで図８を参照すると、家屋の管理または監視を容易にすることに関連する状態情報を獲得し、かつ／または利用する例示的な方法８００が提供される。符号８０２では、少なくとも１つのセンサを需給計器にインターフェースしまたは結合することができ、需給計器は、特定のリソースの消費を測定することに関係するものとすることができる。たとえば、需給計器は、電気、ガス、水、廃棄物（またはその処理）、電話、インターネット、ケーブル、またはデータ・ポートの使用量を測定することができる。
【００５９】
符号８０４では、需給計器の構成に基づいて、図７の符号７０６に関連して受信した少なくとも１つのセンサからの状態情報、たとえば需給計器内に含まれる累算器またはアグリゲータからのリソース使用量の読み値を受信することができる。それに加えてまたはその代わりに、状態情報を、需給計器のすべてまたは一部の光学画像に基づくものとすることができる。したがって、少なくとも１つのセンサを、需給計器によって表示された適当な情報を取り込むように構成された、カメラまたは別のイメージング・デバイスとすることができる。
【００６０】
次に説明すべきことに、符号８０６で、アラーム・システム、測定されないリソース消費デバイス、環境条件モニタもしくは環境条件デバイス、または類似物の構成に基づいて、少なくとも１つのセンサから状態情報を受信することができる。状態情報を、有線インフラストラクチャを介してまたは無線プロトコルに従って受信できることを了解されたい。後者によれば、符号８０８で、無線の形で少なくとも１つのセンサから状態情報を受信することができる。
【００６１】
受信のタイプまたは形にかかわりなく、符号８１０では、所定のインターバルでまたはスケジュールに基づいて、少なくとも１つのセンサに状態情報を自動的に要求することができる。それに加えてまたはその代わりに、符号８１２で、さまざまなセンサに、同一のまたは類似するスケジュールまたは事前定義のインターバルに従って周期的に状態情報を自動的に送信するように命令することができる。したがって、センサを、リアルタイムでポーリングすることができ、あるいは、センサに、ローカルに維持されるスケジュールまたはインターバルに従って状態情報をプッシュするように命令することができる。したがって、符号８１４では、１つまたは複数のセンサから取り出された後に、状態情報を、ＨＮＢモジュールによってフェムトセル・ネットワーク・プロバイダおよび／または管理サービス・プロバイダもしくは監視サービス・プロバイダに関連する中央サーバにアップストリームに送信することができる。
【００６２】
ここで短く図９に移ると、家屋の管理または監視を容易にするためのフェムトセル・ネットワーク・インフラストラクチャの活用に関連するさまざまな追加の特徴または態様を提供する例示的な方法９００が示されている。たとえば、符号９０２では、たとえばフェムトセル・ネットワークに通信的に結合されたサード・パーティ・ネットワークから、状態情報に関するリアルタイム要求を受信することができる。もう１つの例として、状態情報に関するリアルタイム要求を、家屋の所有者または家屋でのＨＮＢモジュールの設置を許可したフェムトセル・ネットワークの加入者などの許可されたアカウント・ユーザから受信することができる。
【００６３】
符号９０４では、リアルタイム要求に応答してサード・パーティ・ネットワーク（または許可されたアカウント・ユーザ）に状態情報を提供することができる。それに加えてまたはその代わりに、符号９０６で、状態情報を、フェムトセル・ネットワークに含まれかつ／またはフェムトセル・ネットワークによって維持されるデータ・ストアに格納することができる。具体的には、状態情報を、ユーザに関連するアカウントを参照する形で格納することができる。
【００６４】
さらに、符号９０８では、状態情報が事前定義の状態と一致する時に、サード・パーティ・ネットワークまたはユーザに通知を送信することができる。たとえば、状態データは、家屋での火事または侵入を示し、通知は、地方当局または救助局（たとえば、サード・パーティ・ネットワーク）に自動的に配信され得る。同様に、同一のまたは同様の情報を、潜在的にＳＭＳまたは類似物を介して、ユーザにも提供することができる。了解できるように、通知は、必ずしも緊急状況に関係する必要がない。そうではなく、通知は、たとえば、建物のデバイスがアクティブまたはインアクティブであることを識別し、それ相応にユーザに通知することができ、あるいは、サード・パーティ廃棄物除去サービスにとって重要である可能性がある、汚物容器が容量に近付きつつあることを識別することができる。
【００６５】
さらに、サード・パーティならびにユーザがさまざまな情報を送りまたは受信できるように、さまざまなインターフェースを設けることができる。たとえば、符号９１０では、サード・パーティ・ネットワーク用のインターフェースを設けて、アカウント・データまたは家屋の関連するセンサに関連するセキュア・アクセスを可能にすることができる。たとえば、サード・パーティによって維持される需給計器に含まれるかこれに結合されるセンサである。同様に、符号９１２では、ユーザがアカウントを管理することを可能にするためにインターフェースを設けることができる。この後者のインターフェースを、モバイル通信デバイスで一般的なディスプレイなどの小フォーム・ファクタ・ディスプレイに関連するＳＭＳ伝搬のためにフォーマットしまたは簡素化することができる。
【００６６】
本明細書のさまざまな態様のさらなる文脈を提供するために、図１０に、本明細書で説明される諸態様によるフェムトセル企業ネットワークの動作を可能にすることができる関連するコンポーネントと共に例の無線通信環境１０００を示す。無線通信環境１０００は、２つの無線ネットワーク・プラットフォームを含む。（ｉ）マクロ無線アクセス・ネットワーク（ＲＡＮ）１０７０を介するユーザ機器１０７５との通信をサービスするかこれを容易にするマクロ・ネットワーク・プラットフォーム１０１０。セルラ無線技術（たとえば、４Ｇ、３ＧＰＰ  ＵＭＴＳ、ＨＳＰＡ、３ＧＰＰ  ＬＴＥ、３ＧＰＰ  ＵＭＢ）では、マクロ・ネットワーク・プラットフォーム１０１０が、コア・ネットワーク内で実施されることを了解されたい。（ｉｉ）バックホール・パイプ（１つまたは複数）１０８５を介し、ルーティング・プラットフォーム１０２を介してフェムト・ネットワーク・プラットフォーム１０８０にリンクされたフェムトＲＡＮ１０９０を介してＵＥ１０７５との通信を提供できるフェムト・ネットワーク・プラットフォーム１０８０。ここで、バックホール・パイプ（１つまたは複数）は、下のバックオール・リンク３８５３と実質的に同一である。フェムト・ネットワーク・プラットフォーム１０８０は、通常、ＵＥ１０７５がフェムトＲＡＮにアタッチした（たとえば、マクロからフェムトへのハンドオーバを介してまたはアイドル・モードでのチャネル・リソースのスキャンを介して）後に、ＵＥ１０７５をマクロ・ネットワークからオフロードすることを了解されたい。
【００６７】
ＲＡＮが、基地局（１つまたは複数）またはアクセス・ポイント（１つまたは複数）と、基地局（１つまたは複数）に関連して運営される無線ラジオ・リンクに加えて、基地局またはアクセス・ポイントに関連する電子回路網および展開サイト（１つまたは複数）とを含むことに留意されたい。したがって、マクロＲＡＮ１０７０は、セル１２０５などのさまざまなカバレージ・セルを含むことができ、フェムトＲＡＮ１０９０は、複数のフェムト・アクセス・ポイントを含むことができる。上で述べたように、フェムトＲＡＮ１０９０内の展開密度が、マクロＲＡＮ１０７０内より実質的に高いことを了解されたい。
【００６８】
一般に、マクロ・ネットワーク・プラットフォーム１０１０とフェムト・ネットワーク・プラットフォーム１０８０との両方が、パケット交換（ＰＳ）トラフィック（たとえば、インターネット・プロトコル（ＩＰ）、フレーム・リレー、非同期転送モード（ＡＴＭ））と回線交換（ＣＳ）トラフィック（たとえば、音声およびデータ）との両方を容易にし、ネットワーク化された無線通信に関する生成を制御するコンポーネント、たとえば、ノード、ゲートウェイ、インターフェース、サーバ、またはプラットフォームを含む。本革新の一態様では、マクロ・ネットワーク・プラットフォーム１０１０は、ＣＳゲートウェイ・ノード（１つまたは複数）１０１２を含み、ＣＳゲートウェイ・ノード１０１２は、電話網（１つまたは複数）１０４０（たとえば、公衆交換電話網（ＰＳＴＮ）または公衆陸上移動網（ｐｕｂｌｉｃ  ｌａｎｄ  ｍｏｂｉｌｅ  ｎｅｔｗｏｒｋ）（ＰＬＭＮ））またはＳＳ７ネットワーク１０６０などのレガシ・ネットワークから受信されるＣＳトラフィックをインターフェースすることができる。回線交換ゲートウェイ１０１２は、そのようなネットワークから生じるトラフィック（たとえば、音声）を許可し、認証することができる。さらに、ＣＳゲートウェイ１０１２は、ＳＳ７ネットワーク１０６０を介して生成されるモビリティ・データまたはローミング・データ、たとえば、メモリ１０３０内に常駐できるＶＬＲ内に格納されたモビリティ・データにアクセスすることができる。さらに、ＣＳゲートウェイ・ノード（１つまたは複数）１０１２は、ＣＳベースのトラフィック、ＣＳベースのシグナリング、およびゲートウェイ・ノード（１つまたは複数）１０１８をインターフェースする。一例として、３ＧＰＰ  ＵＭＴＳネットワークでは、ゲートウェイ・ノード（１つまたは複数）１０１８を、ゲートウェイＧＰＲＳサポート・ノード（ｇａｔｅｗａｙ  ＧＰＲＳ  ｓｕｐｐｏｒｔ  ｎｏｄｅ）（ＧＧＳＮ）（１つまたは複数）内で実施することができる。
【００６９】
ＣＳ交換トラフィックおよびＣＳ交換シグナリングの受信および処理に加えて、ゲートウェイ・ノード（１つまたは複数）１０１８は、サービスされる（たとえば、マクロＲＡＮを介して）無線デバイスとのＰＳベースのデータ・セッションを許可し、認証することができる。データ・セッションは、広域ネットワーク（ＷＡＮ）（１つまたは複数）１０５０などのマクロ・ネットワーク・プラットフォーム１０１０の外部のネットワークとのトラフィック交換を含むことができるが、ローカル・エリア・ネットワーク（ＬＡＮ）（１つまたは複数）を、ゲートウェイ・ノード（１つまたは複数）１０１８を介してマクロ・ネットワーク・プラットフォーム１０１０にインターフェースすることもできることを了解されたい。ゲートウェイ・ノード（１つまたは複数）１０１８は、データ・セッションが確立される時にパケット・データ・コンテキストを生成する。そのために、一態様では、ゲートウェイ・ノード（１つまたは複数）１０１８は、Ｗｉ−Ｆｉネットワークなどの別個の無線ネットワーク（１つまたは複数）とのパケット化された通信を容易にすることができるトンネル・インターフェース（たとえば、３ＧＰＰ  ＵＭＴＳネットワーク（１つまたは複数）内のトンネル終端ゲートウェイ（ｔｕｎｎｅｌ  ｔｅｒｍｉｎａｔｉｏｎ  ｇａｔｅｗａｙ）（ＴＴＧ）、図示せず）を含むことができる。さらに、パケット化された通信が、サーバ（１つまたは複数）１０１４を介して生成できる複数のフローを含むことができることを了解されたい。３ＧＰＰ  ＵＭＴＳネットワーク（１つまたは複数）内で、ゲートウェイ・ノード（１つまたは複数）１０１８（たとえば、ＧＧＳＮ）およびトンネル・インターフェース（たとえば、ＴＴＧ）が、パケット・データ・ゲートウェイ（ｐａｃｋｅｔ  ｄａｔａ  ｇａｔｅｗａｙ）（ＰＤＧ）を含むことに留意されたい。
【００７０】
マクロ・ネットワーク・プラットフォーム１０１０は、ゲートウェイ・ノード（１つまたは複数）１０１８を介して受信された情報またはデータ・ストリームのさまざまなパケット化されたフローを伝えるサービング・ノード（１つまたは複数）１０１６をも含む。一例として、３ＧＰＰ  ＵＭＴＳネットワークでは、サービング・ノード（１つまたは複数）を、サービングＧＰＲＳサポート・ノード（ｓｅｒｖｉｎｇ  ＧＰＲＳ  ｓｕｐｐｏｒｔ  ｎｏｄｅ）（ＳＧＳＮ）（１つまたは複数）内で実施することができる。
【００７１】
上で示したように、マクロ・ネットワーク・プラットフォーム１０１０内のサーバ（１つまたは複数）１０１４は、複数の別個のパケット化されたデータ・ストリームまたはフローを生成し、そのようなフローを管理する（たとえば、スケジューリングし、キューイングし、フォーマットし…）多数のアプリケーション（たとえば、ロケーション・サービス、オンライン・ゲーミング、無線バンキング、無線デバイス管理…）を実行することができる。そのようなアプリケーション（１つまたは複数）は、たとえば、マクロ・ネットワーク・プラットフォーム１０１０によって提供される標準サービスにアドオン特徴を含めることができる。データ・ストリームを、データ・セッションの許可／認証および初期化のためにゲートウェイ・ノード（１つまたは複数）１０１８へ、およびその後の通信のためにサービング・ノード（１つまたは複数）１０１６へ伝えることができる。サーバ（１つまたは複数）１０１４は、ＣＳゲートウェイ・ノード（１つまたは複数）１０１２およびゲートウェイ・ノード（１つまたは複数）１０１８が行うことのできる許可手順および認証手順に加えて、ネットワークの動作およびデータの完全性を保証するために、マクロ・ネットワーク・プラットフォーム１０１０のセキュリティを実施する（たとえば、１つまたは複数のファイヤウォールを実施する）こともできる。さらに、サーバ（１つまたは複数）１０１４は、外部ネットワーク（１つまたは複数）、たとえばＷＡＮ１０５０または全地球測位システム（ＧＰＳ）ネットワーク（１つまたは複数）（図示せず）からのサービスをプロビジョニングすることができる。サーバ（１つまたは複数）１０１４が、マクロ・ネットワーク・プラットフォーム１０１０の機能性を少なくとも部分的に与えるように構成された１つまたは複数のプロセッサを含むことができることに留意されたい。そのために、１つまたは複数のプロセッサは、たとえばメモリ１０３０に格納されたコード命令を実行することができる。
【００７２】
例の無線環境１０００では、メモリ１０３０は、マクロ・ネットワーク・プラットフォーム１０１０の動作に関係する情報を格納する。情報は、加入者に関連するビジネス・データ、販売促進キャンペーンおよびビジネス・パートナーシップなどの市場計画および市場戦略、マクロ・ネットワーク・プラットフォームを介してサービスされるモバイル・デバイスの動作データ、サービス・ポリシおよびプライバシ・ポリシ、法施行のためのエンドユーザ・サービス・ログなどを含むことができる。メモリ１０３０は、電話網（１つまたは複数）１０４０、ＷＡＮ（１つまたは複数）１０５０、ＳＳ７ネットワーク１０６０、企業ＮＷ（１つまたは複数）１０６５、またはサービスＮＷ（１つまたは複数）１０６７のうちの少なくとも１つからの情報を格納することもできる。
【００７３】
フェムト・ゲートウェイ・ノード（１つまたは複数）１０８４は、ＰＳゲートウェイ・ノード（１つまたは複数）１０１８と実質的に同一の機能性を有する。さらに、フェムト・ゲートウェイ・ノード（１つまたは複数）１０８４は、サービング・ノード（１つまたは複数）１０１６の実質的にすべての機能性をも含むことができる。一態様では、フェムト・ゲートウェイ・ノード（１つまたは複数）１０８４は、ハンドオーバ解決、たとえば割当および実行を容易にする。さらに、制御ノード（１つまたは複数）１０２０は、ハンドオーバ要求を受信し、これらをゲートウェイ・ノード（１つまたは複数）１０８４を介してハンドオーバ・コンポーネント（図示せず）に中継することができる。一態様によれば、制御ノード（１つまたは複数）１０２０は、ＲＮＣ機能をサポートすることができる。
【００７４】
サーバ（１つまたは複数）１０８２は、サーバ（１つまたは複数）１０１４に関連して説明したものと実質的に同一の機能性を有する。一態様では、サーバ（１つまたは複数）１０８２は、フェムトＲＡＮ１０９０を介してサービスされる無線デバイスにサービス（たとえば、音声およびデータ）を提供する複数のアプリケーション（１つまたは複数）を実行することができる。サーバ（１つまたは複数）１０８２は、フェムト・ネットワーク・プラットフォームにセキュリティ特徴を提供することもできる。さらに、サーバ（１つまたは複数）１０８２は、マクロ・ネットワーク・プラットフォーム１０１０から受信するデータに加えて、それが生成する実質的にすべてのパケット化されたフロー（たとえば、ＩＰベースの、フレーム・リレー・ベースの、ＡＴＭベースの）を管理する（たとえば、スケジューリングし、キューイングし、フォーマットし…）ことができる。サーバ（１つまたは複数）１０８２が、マクロ・ネットワーク・プラットフォーム１０１０の機能性を少なくとも部分的に与えるように構成された１つまたは複数のプロセッサを含むことができることに留意されたい。そのために、１つまたは複数のプロセッサは、たとえばメモリ１０８６に格納されたコード命令を実行することができる。
【００７５】
メモリ１０８６は、フェムト・ネットワーク・プラットフォーム１０８０のさまざまなコンポーネントの動作に関連する情報を含むことができる。たとえば、メモリ１０８６内に格納できる動作情報は、加入者情報、契約されたサービス、保守記録およびサービス記録、フェムトセル構成（たとえば、フェムトＲＡＮ１０９０を介してサービスされるデバイス、アクセス制御リスト、またはホワイト・リスト）、サービス・ポリシおよびサービス仕様、プライバシ・ポリシ、アドオン特徴などを含むことができるが、これに限定はされない。
【００７６】
フェムト・ネットワーク・プラットフォーム１０８０およびマクロ・ネットワーク・プラットフォーム１０１０を、１つまたは複数の基準リンクまたは基準インターフェースを介して機能的に接続できることに留意されたい。さらに、フェムト・ネットワーク・プラットフォーム１０８０を、外部ネットワーク（１つまたは複数）１０４０、１０５０、１０６０、１０６５、または１０６７のうちの１つまたは複数に直接に機能的に結合することができる（図示せず）。基準リンク（１つまたは複数）または基準インターフェース（１つまたは複数）は、ゲートウェイ・ノード（１つまたは複数）１０８４またはサーバ（１つまたは複数）１０８６のうちの少なくとも１つを１つまたは複数の外部ネットワーク１０４０、１０５０、１０６０、１０６５、または１０６７に機能的にリンクすることができる。
【００７７】
図１１に、本明細書で説明される諸態様による無線カバレージのためのマクロ・セルおよびフェムトセルを含む無線環境を示す。無線環境１１５０では、２つの区域１１０５が、「マクロ」セル・カバレージを表し、各マクロ・セルは、基地局１１１０によってサービスされる。マクロ・セル・カバレージ・エリア１１０５および基地局１１１０が、たとえばシステム１１００に関して本明細書でより十分に説明するように、機能性を含むことができることを了解されたい。マクロ・カバレージは、一般に、屋外位置のＵＥ１１２０Ａ、１１２０Ｂなどのモバイル無線デバイスにサービスすることが意図されている。無線ワイヤレス（ｏｖｅｒ−ｔｈｅ−ａｉｒ  ｗｉｒｅｌｅｓｓ）リンク１１５は、そのようなカバレージを提供し、無線リンク１２１５は、ダウンリンク（ＤＬ）およびアップリンク（ＵＬ）を含み、ラジオ周波数（ＲＦ）スペクトルの、免許を交付されたまたは免許不要の所定の帯域を利用する。例として、ＵＥ１１２０Ａ、１１２０Ｂを、３ＧＰＰユニバーサル移動体通信システム（ＵＭＴＳ）携帯電話機とすることができる。基地局のセット、その関連するエレクトロニクス、回路網、またはコンポーネント、基地局制御コンポーネント（１つまたは複数）、および基地局のセット内でそれぞれの基地局に従って運営される無線リンクが、無線アクセス・ネットワーク（ＲＡＮ）を形成することに留意されたい。さらに、基地局１１１０は、バックホール・リンク（１つまたは複数）１１５１を介してマクロ・ネットワーク・プラットフォーム１１６０と通信し、マクロ・ネットワーク・プラットフォーム１１６０は、セルラ無線技術（たとえば、第３世代パートナーシップ・プロジェクト（３ＧＰＰ）ユニバーサル移動体通信システム（ＵＭＴＳ）、汎欧州移動体通信システム（Ｇｌｏｂａｌ  Ｓｙｓｔｅｍ  ｆｏｒ  Ｍｏｂｉｌｅ  Ｃｏｍｍｕｎｉｃａｔｉｏｎ）（ＧＳＭ））ではコア・ネットワークを表す。
【００７８】
一態様では、マクロ・ネットワーク・プラットフォーム１１６０は、それぞれのセルまたはそのようなセル内の複数のセクタのいずれかにサービスする基地局１１１０のセットを制御する。基地局１１１０は、１つまたは複数の無線技術での動作のための無線機器１１１４と、マクロ・セル１１０５内の１つまたは複数のセクタにサービスできるアンテナのセット１１１２（たとえば、スマート・アンテナ、マイクロ波アンテナ、衛星パラボラアンテナ（１つまたは複数）…）とを含む。マクロ・ネットワーク・プラットフォームの一部とすることができる無線ネットワーク制御ノード（１つまたは複数）のセットと、マクロ・セル１１０５のセットにサービスする基地局（たとえば、Ｎｏｄｅ  Ｂ  １１１０）のセットと、基地局のセット内の基地局に関連するエレクトロニクス、回路網、またはコンポーネントと、基地局を介して無線技術に従って操作されるそれぞれのＯＴＡ無線リンク（たとえば、リンク１１１５または１１１６）のセットと、バックホール・リンク（１つまたは複数）１１５５および１１５１とが、マクロ無線アクセス・ネットワーク（ＲＡＮ）を形成することに留意されたい。マクロ・ネットワーク・プラットフォーム１１６０は、他のセル（図示せず）にサービスする他の基地局（図示せず）とも通信する。バックホール・リンク（１つまたは複数）１１５１または１１５３は、有線バックボーン・リンク（たとえば、光ファイバ・バックボーン、より対線、Ｔ１／Ｅ１電話回線、同期または非同期のいずれかのディジタル加入者回線（ＤＳＬ）、非対称ＡＤＳＬ、または同軸ケーブル…）または無線（たとえば、見通し線（ＬＯＳ）または非ＬＯＳ）バックボーン・リンクを含むことができる。バックホール・パイプ（１つまたは複数）１１５５は、別個の基地局１１１０をリンクする。一態様によれば、バックホール・リンク１１５３は、複数のフェムト・アクセス・ポイント１１３０および／またはコントローラ・コンポーネント（ＣＣ）１１０１をフェムト・ネットワーク・プラットフォーム１１０２に接続することができる。一例では、複数のフェムトＡＰを、ルーティング・プラットフォーム（ＲＰ）１０８７に接続することができ、ＲＰ１０８７を、コントローラ・コンポーネント（ＣＣ）１１０１に接続することができる。通常、ＵＥ１１２０Ａからの情報を、ＲＰ１０２によって、たとえば、上で詳細に議論したように、内部的に、ＲＰ１０８７に接続された別個のフェムトＡＰに接続された別のＵＥ１１２０Ａに、あるいは、外部的に、ＣＣ１１０１を介してフェムト・ネットワーク・プラットフォーム１１０２に、ルーティングすることができる。
【００７９】
無線環境１１５０では、１つまたは複数のマクロ・セル１１０５内で、それぞれのフェムト・アクセス・ポイント（ＡＰ）１１３０によってサービスされるフェムトセル１１４５のセットを展開することができる。本革新の諸態様が、かなりのフェムトＡＰ密度、たとえば、１基地局１１１０あたり１０４〜１０７個のフェムトＡＰ１１３０を有するフェムトセル展開に適応されることを了解されたい。一態様によれば、フェムト・アクセス・ポイント１１３０１〜３７３０Ｎ（Ｎは自然数）のセットを、ルーティング・プラットフォーム１０８７に機能的に接続することができ、ルーティング・プラットフォーム１０８７を、コントローラ・コンポーネント１１０１に機能的に結合することができる。コントローラ・コンポーネント１１０１を、バックホール・リンク（１つまたは複数）１１５３を使用することによってフェムト・ネットワーク・プラットフォーム３３０に動作可能にリンクすることができる。したがって、フェムトＡＰ１１３０１〜３８３０Ｎに接続されたＵＥすなわちＵＥ３７２０Ａは、内部的にルーティング・プラットフォーム（ＲＰ）１０８７を介してフェムト・エンタープライズ内で通信することができ、かつ／またはＲＰ１０８７、コントローラ・コンポーネント１１０１、およびバックホール・リンク（１つまたは複数）１１５３を介してフェムト・ネットワーク・プラットフォーム１１０２と通信することもできる。１つのフェムト・エンタープライズだけが図１１に図示されているが、複数のフェムト・エンタープライズをマクロ・セル１１０５内で展開できることを了解されたい。
【００８０】
本明細書で説明されるさまざまな態様、特徴、または利益が、フェムト・アクセス・ポイント（１つまたは複数）および関連するフェムト・カバレージを介して例示されたが、そのような態様および特徴を、たとえばＷｉ−Ｆｉ（ｗｉｒｅｌｅｓｓ  ｆｉｄｅｌｉｔｙ）またはピコセル遠隔通信など、実質的にすべてのまたはすべての別個の遠隔通信技術を介して無線カバレージを提供するホーム・アクセス・ポイント（ＨＡＰ）（１つまたは複数）のために活用することもできることに留意されたい。さらに、本革新の態様、特徴、または利益を、実質的にすべての無線遠隔通信技術または無線技術、たとえば、Ｗｉ−Ｆｉ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、拡張汎用パケット無線サービス（Ｅｎｈａｎｃｅｄ  Ｇｅｎｅｒａｌ  Ｐａｃｋｅｔ  Ｒａｄｉｏ  Ｓｅｒｖｉｃｅ）（Ｅｎｈａｎｃｅｄ  ＧＰＲＳ）、３ＧＰＰ  ＬＴＥ、３ＧＰＰ２  ＵＭＢ、３ＧＰＰ  ＵＭＴＳ、ＨＳＰＡ、ＨＳＤＰＡ、ＨＳＵＰＡ、またはＬＴＥ  Ａｄｖａｎｃｅｄで活用することができる。さらに、本革新の実質的にすべての態様は、レガシ遠隔通信技術を含むことができる。
【００８１】
ここで図１２を参照すると、開示されるアーキテクチャを実行するように動作可能な例示的なコンピュータ・システムのブロック図が示されている。開示される主題のさまざまな態様に関する追加の文脈を提供するために、図１２および次の議論は、開示される主題のさまざまな態様を実施できる適切なコンピューティング環境１２００の短い全般的な説明を提供することを意図されたものである。さらに、上で説明された開示される主題は、１つまたは複数のコンピュータ上で動作できるコンピュータ実行可能命令の全般的な文脈での応用に適切とすることができるが、当業者は、開示される主題を、他のプログラム・モジュールと組み合わせておよび／またはハードウェアとソフトウェアとの組合せとして実施することもできることを認めるであろう。
【００８２】
一般に、プログラム・モジュールは、特定のタスクを実行するか特定の抽象データ型を実施する、ルーチン、プログラム、コンポーネント、データ構造などを含む。さらに、当業者は、発明的方法を、それぞれを１つまたは複数の関連するデバイスに動作可能に結合できる、シングルプロセッサまたはマルチプロセッサのコンピュータ・システム、ミニコンピュータ、メインフレーム・コンピュータ、ならびにパーソナル・コンピュータ、ハンドヘルド・コンピューティング・デバイス、マイクロプロセッサ・ベースのまたはプログラマブルな消費者エレクトロニクス、および類似物を含む他のコンピュータ・システム構成を用いて実践できることを了解するであろう。
【００８３】
開示される主題の図示の態様を、通信ネットワークを介してリンクされたリモート処理デバイスによってある種のタスクが実行される分散コンピューティング環境で実践することもできる。分散コンピューティング環境では、プログラム・モジュールを、ローカルとリモートとの両方のメモリ・ストレージ・デバイスに配置することができる。
【００８４】
コンピュータは、通常、さまざまなコンピュータ可読媒体を含む。コンピュータ可読媒体は、コンピュータによってアクセスできる任意の使用可能な媒体とすることができ、揮発性媒体と不揮発性媒体との両方、リムーバブル媒体とノンリムーバブル媒体との両方を含む。限定ではなく例として、コンピュータ可読媒体は、コンピュータ記憶媒体と通信媒体とを含むことができる。コンピュータ記憶媒体は、コンピュータ可読命令、データ構造、プログラム・モジュール、または他のデータなどの情報のストレージのための任意の方法または技術で実施された、揮発性または不揮発性のいずれかの、リムーバブルおよびノンリムーバブルの媒体を含むことができる。コンピュータ記憶媒体は、ＲＡＭ、ＲＯＭ、ＥＥＰＲＯＭ、フラッシュ・メモリ、もしくは他のメモリ技術、ＣＤ−ＲＯＭ、ディジタル多用途ディスク（ＤＶＤ）、もしくは他の光ディスク・ストレージ、磁気カセット、磁気テープ、磁気ディスク・ストレージ、もしくは他の磁気ストレージ・デバイス、または所望の情報を格納するのに使用でき、コンピュータによってアクセスできる任意の他の媒体を含むが、これに限定はされない。
【００８５】
通信媒体は、通常、コンピュータ可読命令、データ構造、プログラム・モジュール、または他のデータを、搬送波または他のトランスポート機構などの変調されたデータ信号内で実施し、任意の情報配信媒体を含む。用語「変調されたデータ信号」は、信号内で情報を符号化する形でその特性のうちの１つまたは複数をセットされまたは変更された信号を意味する。限定ではなく例として、通信媒体は、有線ネットワークまたは直接配線接続などの有線媒体と、音響、ＲＦ、赤外線、および他の無線媒体などの無線媒体とを含む。上記のいずれかの組合せも、コンピュータ可読媒体の範囲に含まれなければならない。
【００８６】
もう一度図１２を参照すると、開示される主題のさまざまな態様を実施する例示的な環境１２００は、コンピュータ１２０２を含み、コンピュータ１２０２は、処理ユニット１２０４、システム・メモリ１２０６、およびシステム・バス１２０８を含む。システム・バス１２０８は、システム・メモリ１２０６を含むがこれに限定されないシステム・コンポーネントと処理ユニット１２０４を結合する。処理ユニット１２０４は、さまざまな市販プロセッサのいずれとすることもできる。デュアル・マイクロプロセッサおよび他のマルチプロセッサ・アーキテクチャを、処理ユニット１２０４として使用することもできる。
【００８７】
システム・バス１２０８は、さまざまな市販バス・アーキテクチャのいずれかを使用する、メモリ・バス（メモリ・コントローラを伴うまたは伴わない）、周辺バス、およびローカル・バスにさらに相互接続することができる複数のタイプのバス構造のいずれにもすることができる。システム・メモリ１２０６は、読取り専用メモリ（ＲＯＭ）１２１０およびランダム・アクセス・メモリ（ＲＡＭ）１２１２を含む。基本入出力システム（ＢＩＯＳ）が、ＲＯＭ、ＥＰＲＯＭ、ＥＥＰＲＯＭなどの不揮発性メモリ１２１０に格納され、ＢＩＯＳは、スタートアップ中などにコンピュータ１２０２内の要素の間で情報を転送するのを助ける基本ルーチンを含む。ＲＡＭ１２１２は、データをキャッシングするスタティックＲＡＭなどの高速ＲＡＭをも含むことができる。
【００８８】
コンピュータ１２０２は、適切なシャーシ（図示せず）内での外部使用のために構成される場合もある内蔵ハード・ディスク・ドライブ（ＨＤＤ）１２１４（たとえば、ＥＩＤＥ、ＳＡＴＡ）、磁気フロッピ・ディスク・ドライブ（ＦＤＤ）１２１６（たとえば、リムーバブル・ディスケット１２１８から読み取り、またはこれに書き込むための）、および光ディスク・ドライブ１２２０（たとえば、ＣＤ−ＲＯＭディスク１２２２を読み取る、あるいはＤＶＤなどの他の大容量光媒体から読み取り、またはこれに書き込むための）をさらに含む。ハード・ディスク・ドライブ１２１４、磁気フロッピ・ディスク・ドライブ１２１６、および光ディスク・ドライブ１２２０を、それぞれハード・ディスク・ドライブ・インターフェース１２２４、磁気ディスク・ドライブ・インターフェース１２２６、および光ドライブ・インターフェース１２２８によってシステム・バス１２０８に接続することができる。外部ドライブ実施のためのインターフェース１２２４は、Ｕｎｉｖｅｒｓａｌ  Ｓｅｒｉａｌ  Ｂｕｓ（ＵＳＢ）インターフェース技術およびＩＥＥＥ１３９４インターフェース技術のうちの少なくとも１つまたは両方を含む。他の外部ドライブ接続技術は、本明細書で開示される主題の企図に含まれる。
【００８９】
ドライブおよび関連するコンピュータ可読媒体は、データ、データ構造、コンピュータ実行可能命令などの不揮発性ストレージを提供する。コンピュータ１２０２について、ドライブおよび媒体は、適切なディジタル・フォーマットでのすべてのデータのストレージに対処する。上のコンピュータ可読媒体の説明は、ＨＤＤ、リムーバブル磁気ディスケット、およびＣＤまたはＤＶＤなどのリムーバブル光媒体に言及するが、当業者は、ｚｉｐドライブ、磁気カセット、フラッシュ・メモリ・カード、カートリッジ、および類似物などのコンピュータによって可読の他のタイプの媒体をも例示的動作環境で使用できることと、さらに、すべてのそのような媒体が、開示される主題の方法を実行するコンピュータ実行可能命令を含むことができることとを了解するに違いない。
【００９０】
オペレーティング・システム１２３０、１つまたは複数のアプリケーション・プログラム１２３２、他のプログラム・モジュール１２３４、およびプログラム・データ１２３６を含む複数のプログラム・モジュールを、ドライブおよびＲＡＭ１２１２に格納することができる。オペレーティング・システム、アプリケーション、モジュール、および／またはデータのすべてまたは一部を、ＲＡＭ１２１２にキャッシングすることもできる。開示される主題を、さまざまな市販オペレーティング・システムまたはオペレーティング・システムの組合せを用いて実施できることを了解されたい。
【００９１】
ユーザは、１つまたは複数の有線／無線入力デバイス、たとえばキーボード１２３８とマウス１２４０などのポインティング・デバイスとを介してコンピュータ１２０２にコマンドおよび情報を入力することができる。他の入力デバイス（図示せず）は、マイクロホン、ＩＲリモート・コントロール、ジョイスティック、ゲーム・パッド、スタイラス・ペン、タッチ・スクリーン、または類似物を含むことができる。上記および他の入力デバイスは、しばしば、システム・バス１２０８に結合された入力デバイス・インターフェース１２４２を介して処理ユニット１２０４に接続されるが、パラレル・ポート、ＩＥＥＥ１３９４シリアル・ポート、ゲーム・ポート、ＵＳＢポート、ＩＲインターフェース、その他などの他のインターフェースによって接続され得る。
【００９２】
モニタ１２４４または他のタイプのディスプレイ・デバイスも、ビデオ・アダプタ１２４６などのインターフェースを介してシステム・バス１２０８に接続される。モニタ１２４４に加えて、コンピュータは、通常、スピーカ、プリンタ、その他など、他の周辺出力デバイス（図示せず）を含む。
【００９３】
コンピュータ１２０２は、リモート・コンピュータ（１つまたは複数）１２４８などの１つまたは複数のリモート・コンピュータへの有線通信および／または無線通信を介する論理接続を使用してネットワーク化された環境で動作することができる。リモート・コンピュータ（１つまたは複数）１２４８は、ワークステーション、サーバ・コンピュータ、ルータ、パーソナル・コンピュータ、モバイル・デバイス、ポータブル・コンピュータ、マイクロプロセッサ・ベースのエンターテイメント機器、ピア・デバイス、または他の一般的なネットワーク・ノードとすることができ、通常は、コンピュータ１２０２に関して説明された要素のうちの多数またはすべてを含むが、簡潔さのために、メモリ／ストレージ・デバイス１２５０だけが図示されている。図示の論理接続は、ローカル・エリア・ネットワーク（ＬＡＮ）１２５２および／またはより大きいネットワーク、たとえば広域ネットワーク（ＷＡＮ）１２５４への有線接続性／無線接続性を含む。そのようなＬＡＮおよびＷＡＮのネットワーキング環境は、オフィスおよび会社でありふれたものであり、イントラネットなどの企業全体のコンピュータ・ネットワークを容易にし、これらのすべてを、グローバル通信ネットワーク、たとえばインターネットに接続することができる。
【００９４】
ＬＡＮネットワーキング環境で使用される時に、コンピュータ１２０２は、有線および／または無線の通信ネットワーク・インターフェースまたは通信ネットワーク・アダプタ１２５６を介してローカル・ネットワーク１２５２に接続される。アダプタ１２５６は、ＬＡＮ１２５２への有線または無線の通信を容易にすることができ、ＬＡＮ１２５２は、無線のアダプタ１２５６と通信するためにその上に配置された無線アクセス・ポイントを含むこともできる。
【００９５】
ＷＡＮネットワーキング環境で使用される時に、コンピュータ１２０２は、モデム１２５８を含むことができ、あるいはＷＡＮ１２５４上の通信サーバに接続され、あるいはインターネットによるなどＷＡＮ１２５４を介する通信を確立する他の手段を有する。モデム１２５８は、内蔵または外付けとすることができ、有線デバイスまたは無線デバイスとすることができるが、シリアル・ポート・インターフェース１２４２を介してシステム・バス１２０８に接続される。ネットワーク化された環境では、コンピュータ１２０２に関係して図示されたプログラム・モジュールまたはその諸部分を、リモート・メモリ／ストレージ・デバイス１２５０に格納することができる。図示のネットワーク接続が例示的であり、コンピュータの間の通信リンクを確立する他の手段を使用できることを了解されたい。
【００９６】
コンピュータ１２０２は、無線通信で動作可能に配置された任意の無線デバイスまたはエンティティ、たとえば、プリンタ、スキャナ、デスクトップ・コンピュータおよび／またはポータブル・コンピュータ、携帯情報端末、通信衛星、無線で検出可能なタグに関連する任意の機器または場所（たとえば、キオスク、ニュース・スタンド、休憩室）、および電話機と通信するように動作可能である。これは、少なくともＷｉ−Ｆｉ無線技術およびＢｌｕｅｔｏｏｔｈ（商標）無線技術を含む。したがって、通信を、従来のネットワークと同様に事前定義の構造または単純に少なくとも２つのデバイスの間のアド・ホック通信とすることができる。
【００９７】
Ｗｉ−ＦｉすなわちＷｉｒｅｌｅｓｓ  Ｆｉｄｅｌｉｔｙは、家庭の長椅子、ホテルの部屋のベッド、または仕事場の会議室からワイヤなしでインターネットへの接続を可能にする。Ｗｉ−Ｆｉは、たとえばコンピュータなどのデバイスが屋内および屋外すなわち基地局の範囲内のどこであってもデータを送信し受信することを可能にする、セル電話機に使用されるものに似た無線技術である。Ｗｉ−Ｆｉネットワークは、セキュアで信頼でき高速の無線接続性を提供するのに、ＩＥＥＥ８０２．１１（ａ、ｂ、ｇ、ｎなど）と呼ばれる無線技術を使用する。Ｗｉ−Ｆｉネットワークを使用して、コンピュータをお互いに、インターネットに、および有線ネットワーク（ＩＥＥＥ８０２．３すなわちイーサネットを使用する）に接続することができる。Ｗｉ−Ｆｉネットワークは、たとえば、免許不要の２．４ＧＨｚおよび５ＧＨｚの無線帯で、１１Ｍｂｐｓ（８０２．１１ｂ）または５４Ｍｂｐｓ（８０２．１１ａ）のデータ・レートで動作し、あるいは、両方の帯域を含む製品（デュアル・バンド）を用いて動作し、したがって、ネットワークは、多くのオフィスで使用される基本的な「１０ＢａｓｅＴ」有線イーサネット・ネットワークに似た実世界性能を提供できるようになる。
【００９８】
本明細書で説明されるさまざまな態様または特徴を、標準的なプログラミング技法および／または工学技法を使用して方法、装置、または製造品として実施することができる。さらに、本明細書で開示されるさまざまな態様を、メモリに格納されプロセッサによって実行されるプログラム・モジュール、またはハードウェアとソフトウェアともしくはハードウェアとファームウェアとの他の組合せを介して実施することもできる。用語「製造品」は、本明細書で使用される時に、任意のコンピュータ可読デバイス、担体、または媒体からアクセス可能なコンピュータ・プログラムを含むことが意図されている。たとえば、コンピュータ可読媒体は、磁気ストレージ・デバイス（たとえば、ハード・ディスク、フロッピ・ディスク、磁気ストリップ…）、光ディスク（たとえば、コンパクト・ディスク（ＣＤ）、ディジタル多用途ディスク（ＤＶＤ）、ブルーレイ・ディスク（ＢＤ）…）スマート・カード、およびフラッシュ・メモリ・デバイス（たとえば、カード、スティック、キー・ドライブ…）を含むことができるが、これらに限定はされない。さらに、電子メールの送信および受信またはインターネットもしくはローカル・エリア・ネットワーク（ＬＡＮ）などのネットワークへのアクセスに使用されるものなどの搬送波を使用して、コンピュータ可読電子データを搬送できることを了解されたい。もちろん、当業者は、開示される主題の範囲または趣旨から逸脱せずにこの構成に対して多数の変更を行えることを認めるであろう。
【００９９】
本明細書で使用される時に、用語「プロセッサ」は、シングルコア・プロセッサ、ソフトウェア・マルチスレッド実行機能を有するシングルプロセッサ、マルチコアプロセッサ、ソフトウェア・マルチスレッド実行機能を有するマルチコアプロセッサ、ハードウェア・マルチスレッド技術を有するマルチコアプロセッサ、並列プラットフォーム、および分散共有メモリを有する並列プラットフォームを含むがこれらを含むことに限定されない実質的にすべてのコンピューティング処理ユニットまたはコンピューティング処理デバイスを指すことができる。さらに、プロセッサは、集積回路、特定用途向け集積回路（ＡＳＩＣ）、ディジタル信号プロセッサ（ＤＳＰ）、フィールド・プログラマブル・ゲート・アレイ（ＦＰＧＡ）、プログラマブル・ロジック・コントローラ（ＰＬＣ）、複合プログラマブル論理デバイス（ＣＰＬＤ）、ディスクリート・ゲートまたはトランジスタ論理、ディスクリート・ハードウェア・コンポーネント、または本明細書で説明される機能を実行するように設計されたその任意の組合せを指すことができる。プロセッサは、空間使用量を最適化しまたはユーザ機器の性能を強化するために、分子ベースのおよび量子ドット・ベースのトランジスタ、スイッチ、およびゲートなどであるがこれに限定されないナノスケール・アーキテクチャを活用することができる。プロセッサを、コンピューティング処理ユニットの組合せとして実施することもできる。
【０１００】
本明細書では、「ストア」、「データ・ストア」、「データ・ストレージ」、「データベース」、「リポジトリ」、ならびにコンポーネントの動作および機能に関係する実質的にすべての他の情報ストレージ・コンポーネントは、「メモリ・コンポーネント」または「メモリ」もしくはメモリを含むコンポーネント内で実施されるエンティティを指す。本明細書に記載のメモリ・コンポーネントは、揮発性メモリまたは不揮発性メモリのいずれかとすることができ、揮発性メモリと不揮発性メモリとの両方を含むことができることを了解されたい。さらに、メモリ・コンポーネントまたはメモリ要素を、リムーバブルまたは固定とすることができる。さらに、メモリを、デバイスまたはコンポーネントの内部または外部とすることができ、あるいは、リムーバブルまたは固定とすることができる。メモリは、ハード・ディスク・ドライブ、ｚｉｐドライブ、磁気カセット、フラッシュ・メモリ・カードもしくは他のタイプのメモリ・カード、カートリッジ、または類似物など、コンピュータによって読取り可能なさまざまなタイプの媒体を含むことができる。
【０１０１】
限定ではなく例示として、不揮発性メモリは、読取り専用メモリ（ＲＯＭ）、プログラマブルＲＯＭ（ＰＲＯＭ）、電気的プログラム可能ＲＯＭ（ＥＰＲＯＭ）、電気的消去可能ＲＯＭ（ＥＥＰＲＯＭ）、またはフラッシュ・メモリを含むことができる。揮発性メモリは、外部キャッシュ・メモリとして働くランダム・アクセス・メモリ（ＲＡＭ）を含むことができる。限定ではなく例示として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、ｅｎｈａｎｃｅｄ  ＳＤＲＡＭ（ＥＳＤＲＡＭ）、Ｓｙｎｃｈｌｉｎｋ  ＤＲＡＭ（ＳＬＤＲＡＭ）、およびｄｉｒｅｃｔ  Ｒａｍｂｕｓ  ＲＡＭ（ＤＲＲＡＭ）などの多数の形で入手可能である。さらに、本明細書のシステムまたは方法の開示されるメモリ・コンポーネントは、含むことに限定されずに、上記および任意の他の適切なタイプのメモリを含むことが意図されている。
【０１０２】
上で説明されたものは、さまざまな実施形態の例を含む。もちろん、実施形態の説明において、コンポーネントまたは方法論の考えられるすべての組合せを記述することは不可能であるが、当業者は、多数のさらなる組合せと置換とが可能であることを認めるであろう。したがって、この詳細な説明は、添付の特許請求の範囲の趣旨と範囲とに含まれるすべての代替形態、修正形態、および変形形態を包含することが意図されている。
【０１０３】
具体的には、上で説明されたコンポーネント、デバイス、回路、システム、および類似物によって実行されるさまざまな機能に関して、そのようなコンポーネントを説明するのに使用された用語（「手段」への言及を含む）は、そうではないと示されない限り、実施形態の本明細書で示された例示的対応の機能を実行する開示された構造と構造的に同等ではない場合であっても、説明されたコンポーネントの指定された機能を実行するすべてのコンポーネント（たとえば、機能的同等物）に対応することが意図されている。これに関して、実施形態が、システムと、さまざまな方法の行為および／またはイベントを実行するコンピュータ実行可能命令を有するコンピュータ可読媒体とを含むことをも認められたい。
【０１０４】
さらに、特定の特徴が、複数の実施態様のうちの１つだけに関して開示された場合があるが、そのような特徴を、任意の所与のまたは特定の応用について望まれ、有利である可能性があるように、他の実施態様の１つまたは複数の他の特徴と組み合わせることができる。さらに、用語「ｉｎｃｌｕｄｅｓ」および「ｉｎｃｌｕｄｉｎｇ」とその変形とがこの詳細な説明または特許請求の範囲で使用される範囲で、これらの用語は、用語「ｃｏｍｐｒｉｓｉｎｇ」に似た形で包含的であることが意図されている。
【図１】
0005898083.tif 000002
【図２】
0005898083.tif 000003
【図３】
0005898083.tif 000004
【図４】
0005898083.tif 000005
【図５】
0005898083.tif 000006
【図６】
0005898083.tif 000007
【図７】
0005898083.tif 000008
【図８】
0005898083.tif 000009
【図９】
0005898083.tif 000010
【図１０】
0005898083.tif 000011
【図１１】
0005898083.tif 000012
【図１２】
0005898083.tif 000013